(57)【特許請求の範囲】
【請求項１】
無線通信システムにおいてユーザ機器が測定を実行する方法であって、
（ｉ）受信信号強度指示子(ｒｅｃｅｉｖｅｄ ｓｉｇｎａｌ ｓｔｒｅｎｇｔｈ ｉｎｄｉｃａｔｏｒ、ＲＳＳＩ)を測定するための測定ウィンドウの、時間リソースユニットのセットに関する第１情報と、（ｉｉ）前記ＲＳＳＩを測定するためのＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル位置のセットに関する第２情報を受信し、
前記第２情報は、複数の予め定義されたフォーマットの一つを示す情報と、前記ＲＳＳＩを測定するための時間リソースユニット内で、ＯＦＤＭシンボル位置の異なるセットを表す前記複数の予め定義されたフォーマットのそれぞれを含み、
前記第１情報により示される前記時間リソースユニットのセット内でそれぞれの時間リソースユニットに対して、前記第２情報により示された前記予め定義されたフォーマットにより表される前記ＯＦＤＭシンボル位置のセットの中で、前記ＲＳＳＩを測定する、測定実行方法。
【請求項２】
前記時間リソースユニットの各々は、時間領域において複数の連続するＯＦＤＭシンボルで構成される、請求項１に記載の測定実行方法。
【請求項３】
前記測定ウィンドウは同期信号(ｓｙｎｃｈｒｏｎｉｚａｔｉｏｎ ｓｉｇｎａｌ、ＳＳ)及び物理ブロードキャストチャネルで構成された同期信号ブロックのリソースを含む、請求項１又は２に記載の測定実行方法。
【請求項４】
前記第１情報は、前記ＲＳＳＩを測定するための前記測定ウィンドウ内の前記時間リソースユニットのセットを示すビットマップを含む、請求項１〜３のいずれか一項に記載の測定実行方法。
【請求項５】
前記複数の予め定義されたフォーマットの一つを示す前記情報は、２ビットインデックスである、請求項１〜４のいずれか一項に記載の測定実行方法。
【請求項６】
無線通信システムにおいて測定を実行するユーザ機器であって、
トランシーバと、
プロセッサと、
少なくとも一つのプログラムを格納したメモリを含み、
前記少なくとも一つのプログラムは、前記プロセッサに、
（ｉ）受信信号強度指示子(ｒｅｃｅｉｖｅｄ ｓｉｇｎａｌ ｓｔｒｅｎｇｔｈ ｉｎｄｉｃａｔｏｒ、ＲＳＳＩ) を測定するための測定ウィンドウの、時間リソースユニットのセットに関する第１情報と、（ｉｉ）前記ＲＳＳＩを測定するためのＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル位置のセットに関する第２情報を前記トランシーバを介して受信し、
前記第２情報は、複数の予め定義されたフォーマットの一つを示す情報と、前記ＲＳＳＩを測定するための時間リソースユニット内で、ＯＦＤＭシンボル位置の異なるセットを表す前記複数の予め定義されたフォーマットのそれぞれを含み、
前記第１情報により示される前記時間リソースユニットのセット内でそれぞれの時間リソースユニットに対して、前記第２情報により示された前記予め定義されたフォーマットにより表される前記ＯＦＤＭシンボル位置のセットの中で、前記ＲＳＳＩを測定することを含む動作を実行させる、ユーザ機器。
【請求項７】
前記時間リソースユニットの各々は、複数の時間領域において連続するＯＦＤＭシンボルで構成される、請求項６に記載のユーザ機器。
【請求項８】
前記測定ウィンドウは同期信号(ｓｙｎｃｈｒｏｎｉｚａｔｉｏｎ ｓｉｇｎａｌ、ＳＳ)及び物理ブロードキャストチャネルで構成された同期信号ブロックのリソースを含む、請求項６又は７に記載のユーザ機器。
【請求項９】
前記第１情報は、前記ＲＳＳＩを測定するための前記測定ウィンドウ内の前記時間リソースユニットのセットを示すビットマップを含む、請求項６〜８のいずれか一項に記載のユーザ機器。
【請求項１０】
前記複数の予め定義されたフォーマットの一つを示す前記情報は、２ビットインデックスである、請求項６〜９のいずれか一項に記載のユーザ機器。
【請求項１１】
無線通信システムにおいて基地局がユーザ機器に対する測定を設定する方法であって、
（ｉ）受信信号強度指示子(ｒｅｃｅｉｖｅｄ ｓｉｇｎａｌ ｓｔｒｅｎｇｔｈ ｉｎｄｉｃａｔｏｒ、ＲＳＳＩ)を測定するための測定ウィンドウの、時間リソースユニットのセットに関する第１情報と、（ｉｉ）前記ＲＳＳＩを測定するためのＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル位置のセットに関する第２情報を前記ユーザ機器に送信し、
前記第２情報は、複数の予め定義されたフォーマットの一つを示す情報と、前記ＲＳＳＩを測定するための時間リソースユニット内で、ＯＦＤＭシンボル位置の異なるセットを表す前記複数の予め定義されたフォーマットのそれぞれを含み、
前記第１情報により示される前記時間リソースユニットのセット内でそれぞれの時間リソースユニットに対して、前記第２情報により示された前記予め定義されたフォーマットにより表される前記ＯＦＤＭシンボル位置のセットの中で、前記ＲＳＳＩを測定する前記ユーザ機器に基づいた参照信号受信品質（ＲＳＲＱ）情報を前記ユーザ機器から受信することを含む、測定設定方法。
【請求項１２】
前記第１情報は、前記ＲＳＳＩを測定するための前記測定ウィンドウ内の前記時間リソースユニットのセットを示すビットマップを含み、
前記複数の予め定義されたフォーマットの一つを示す前記情報は、２ビットインデックスである、請求項１１に記載の測定設定方法。
【請求項１３】
無線通信システムにおいてユーザ機器に対する測定を設定する基地局であって、
トランシーバと、
プロセッサと、
少なくとも一つのプログラムを格納したメモリを含み、
前記少なくとも一つのプログラムは、前記プロセッサに、
（ｉ）受信信号強度指示子(ｒｅｃｅｉｖｅｄ ｓｉｇｎａｌ ｓｔｒｅｎｇｔｈ ｉｎｄｉｃａｔｏｒ、ＲＳＳＩ) を測定するための測定ウィンドウの、時間リソースユニットのセットに関する第１情報と、（ｉｉ）前記ＲＳＳＩを測定するためのＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル位置のセットに関する第２情報を前記トランシーバを介して前記ユーザ機器へ送信し、
前記第２情報は、複数の予め定義されたフォーマットの一つを示す情報と、前記ＲＳＳＩを測定するための時間リソースユニット内で、ＯＦＤＭシンボル位置の異なるセットを表す前記複数の予め定義されたフォーマットのそれぞれを含み、
前記第１情報により示される前記時間リソースユニットのセット内でそれぞれの時間リソースユニットに対して、前記第２情報により示された前記予め定義されたフォーマットにより表される前記ＯＦＤＭシンボル位置のセットの中で、前記ＲＳＳＩを測定する前記ユーザ機器に基づいた参照信号受信品質（ＲＳＲＱ）情報を前記トランシーバを介して前記ユーザ機器から受信することを含む動作を実行させる、基地局。
【請求項１４】
前記第１情報は、前記ＲＳＳＩを測定するための前記測定ウィンドウ内の前記時間リソースユニットのセットを示すビットマップを含み、
前記複数の予め定義されたフォーマットの一つを示す前記情報は、２ビットインデックスである、請求項１３に記載の基地局。
【発明の詳細な説明】
【技術分野】
【０００１】
本発明は無線通信システムに関し、より詳しくは、測定を設定又は指示する方法及び装置に関する。
【背景技術】
【０００２】
器機間(Ｍａｃｈｉｎｅ−ｔｏ−Ｍａｃｈｉｎｅ、Ｍ２Ｍ)通信と、高いデータ送信量を要求するスマートフォン、タブレットＰＣなどの様々な装置及び技術が出現及び普及されている。これに伴い、セルラー網(ｃｅｌｌｕｌａｒ ｎｅｔｗｏｒｋ)で処理されることが要求されるデータ量も急増している。このように急増しているデータ処理要求量を満たすために、より多くの周波数帯域を効率的に用いるための搬送波集約(ｃａｒｒｉｅｒ ａｇｇｒｅｇａｔｉｏｎ)技術、認知無線(ｃｏｇｎｉｔｉｖｅ ｒａｄｉｏ)技術などと、限られた周波数内で送信されるデータ容量を高めるための多重アンテナ技術、多重基地局協調技術などが発展している。
【０００３】
一般の無線通信システムは、１つの下りリンク(ｄｏｗｎｌｉｎｋ、ＤＬ)帯域とこれに対応する１つの上りリンク(ｕｐｌｉｎｋ、ＵＬ)帯域でデータ送／受信を行ったり(周波数分割デュプレックス(ｆｒｅｑｕｅｎｃｙ ｄｉｖｉｓｉｏｎ ｄｕｐｌｅｘ、ＦＤＤ)モードの場合)、所定の無線フレーム(Ｒａｄｉｏ Ｆｒａｍｅ)を時間ドメイン(ｔｉｍｅ ｄｏｍａｉｎ)で上りリンク時間ユニットと下りリンク時間ユニットとに区分し、上りリンク／下りリンク時間ユニットでデータ送／受信を行う(時分割デュプレックス(ｔｉｍｅ ｄｉｖｉｓｉｏｎ ｄｕｐｌｅｘ、ＴＤＤ)モードの場合)。基地局(ｂａｓｅ ｓｔａｔｉｏｎ、ＢＳ)とユーザ器機(ｕｓｅｒ ｅｑｕｉｐｍｅｎｔ、ＵＥ)は、所定の時間ユニット、例えば、サブフレーム(ｓｕｂｆｒａｍｅ、ＳＦ)内で、スケジュールされたデータ及び／又は制御情報を送受信する。データは、上りリンク／下りリンクサブフレームに設定されたデータ領域を通じて送受信され、制御情報は、上りリンク／下りリンクサブフレームに設定された制御領域を通じて送受信される。そのために、無線信号を搬送する様々な物理チャネルが上りリンク／下りリンクサブフレームに設定される。これに対し、搬送波集約技術は、より広い周波数帯域を用いるために複数の上りリンク／下りリンク周波数ブロックを集めてより大きい上りリンク／下りリンク帯域幅を用いることによって、単一搬送波が用いられる場合に比べて多量の信号を同時に処理することができる。
【０００４】
一方、ＵＥが周辺で接続(ａｃｃｅｓｓ)し得るノード(ｎｏｄｅ)の密度が高くなる方向に通信環境が進化している。ノードとは、１つ以上のアンテナを有し、ＵＥと無線信号を送信／受信できる固定した地点(ｐｏｉｎｔ)のことを指す。高い密度のノードを備えた通信システムは、ノード間の協調によってより高い性能の通信サービスをＵＥに提供することができる。
【０００５】
さらに多い通信装置がより大きな通信容量を要求することにより、レガシー無線接続技術(ｒａｄｉｏ ａｃｃｅｓｓ ｔｅｃｈｎｏｌｏｇｙ、ＲＡＴ)に比べて向上したモバイル広帯域(ｅｎｈａｎｃｅｄ ｍｏｂｉｌｅ ｂｒｏａｄｂａｎｄ、ｅＭＢＢ)通信の必要性が高まっている。また、多数の器機及びモノ(ｏｂｊｅｃｔ)を連結していつでもどこでも多様なサービスを提供する大規模機械タイプ通信(ｍａｓｓｉｖｅ ｍａｃｈｉｎｅ ｙｙｐｅ ｃｏｍｍｕｎｉｃａｔｉｏｎｓ、ｍＭＴＣ)が次世代通信の主要争点の1つになっている。
【０００６】
さらに信頼性及び待機時間などに敏感なサービス／ＵＥを考慮して設計される通信システムも考えられている。次世代無線接続技術の導入は、ｅＭＢＢ通信、ｍＭＴＣ、超信頼性及び低待機時間通信(ｕｌｔｒａ−ｒｅｌｉａｂｌｅ ａｎｄ ｌｏｗ ｌａｔｅｎｃｙ ｃｏｍｍｕｎｉｃａｔｉｏｎ、ＵＲＬＬＣ)などを考慮して論議されている。
【発明の概要】
【発明が解決しようとする課題】
【０００７】
新しい無線通信技術の導入から、基地局が所定リソース領域でサービスを提供すべきＵＥの個数が増加するだけでなく、上記基地局がサービスを提供するＵＥと送受信するデータと制御情報の量も増加している。基地局がＵＥとの通信に利用可能な無線リソースの量は有限であるため、基地局が有限の無線リソースを用いて上りリンク／下りリンクデータ及び／又は上りリンク／下りリンク制御情報をＵＥから／に效率的に受信／送信するための新しい方案が要求される。
【０００８】
また技術の発達に伴い、遅れ(ｄｅｌａｙ)或いは遅延(ｌａｔｅｎｃｙ)の克服が重要な問題となっている。遅れ／遅延により性能が大きく左右されるアプリケーションが増加している。従って、既存のシステムに比べて遅れ／遅延を減少させる方案が要求されている。
【０００９】
さらに新しい無線接続技術を支援するシステムにおいて信号を送受信する方法も要求されている。
【００１０】
本発明で遂げようとする技術的課題は、以上で言及した事項に限定されず、言及していない他の技術的課題は、以下の本発明の詳細な説明から、本発明の属する技術の分野における通常の知識を有する者によって明確に理解されるであろう。
【課題を解決するための手段】
【００１１】
本発明の一態様として、無線通信システムにおいてユーザ機器が測定を行う方法が提供される。該方法は、受信信号強度指示子(ｒｅｃｅｉｖｅｄ ｓｉｇｎａｌ ｓｔｒｅｎｇｔｈ ｉｎｄｉｃａｔｏｒ、ＲＳＳＩ)測定シンボル情報を受信し、ＲＳＳＩ測定のための時間リソースユニット(以下、ＲＳＳＩ測定時間リソースユニット)でＲＳＳＩ測定シンボル情報に基づいてＲＳＳＩを測定することを含む。ＲＳＳＩはＲＳＳＩ測定時間リソースユニットでＲＳＳＩ測定シンボル情報により指示されたＯＦＤＭシンボルから測定される。
【００１２】
本発明の他の様相として、無線通信システムにおいて測定を行うユーザ機器が提供される。該ユーザ機器はトランシーバ、及びトランシーバを制御するように構成されたプロセッサを含んで構成される。プロセッサは、受信信号強度指示子(ｒｅｃｅｉｖｅｄ ｓｉｇｎａｌ ｓｔｒｅｎｇｔｈ ｉｎｄｉｃａｔｏｒ、ＲＳＳＩ)測定シンボル情報を受信するようにトランシーバを制御し、ＲＳＳＩ測定のための時間リソースユニット(以下、ＲＳＳＩ測定時間リソースユニット)でＲＳＳＩ測定シンボル情報に基づいてＲＳＳＩを測定するように構成される。プロセッサはＲＳＳＩ測定時間リソースユニットでＲＳＳＩ測定シンボル情報により指示されたＯＦＤＭシンボルからＲＳＳＩを測定するように構成される。
【００１３】
本発明のさらに他の様相として、無線通信システムにおいて基地局がユーザ機器に測定を設定する方法が提供される。該方法は、ＲＳＳＩ測定のための１つ以上の時間リソースユニット(以下、ＲＳＳＩ測定時間リソースユニット)に関する設定情報とＲＳＳＩ測定時間リソースのＯＦＤＭシンボルのうち、ＲＳＳＩ測定のためのＯＦＤＭシンボルを指示するＲＳＳＩ測定シンボル情報を含むＲＳＳＩ測定リソース情報を送信し、ＲＳＳＩ測定リソース情報に連関するＲＳＲＱを受信することを含む。
【００１４】
本発明のさらに他の様相として、無線通信システムにおいてユーザ機器に測定を設定する基地局が提供される。該基地局はトランシーバ、及びトランシーバを制御するように構成されたプロセッサを含んで構成される。該プロセッサは、ＲＳＳＩ測定のための１つ以上の時間リソースユニット(以下、ＲＳＳＩ測定時間リソースユニット)に関する情報とＲＳＳＩ測定時間リソースのＯＦＤＭシンボルのうち、ＲＳＳＩ測定のためのＯＦＤＭシンボルを指示する情報を含む測定設定情報を送信するようにトランシーバを制御し、測定設定情報に連関する参照信号受信品質(ｒｅｆｅｒｅｎｃｅ ｓｉｇｎａｌ ｒｅｃｅｉｖｅｄ ｑｕａｌｉｔｙ、ＲＳＲＱ)を受信するようにトランシーバを制御するように構成される。
【００１５】
本発明の各様相において、ＲＳＳＩ測定シンボル情報はＲＳＳＩ測定シンボル位置を示す所定のフォーマットのうちの１つを指示する。
【００１６】
本発明の各様相において、ＲＳＳＩ測定シンボル情報は測定ウィンドウ内のＲＳＳＩ測定時間リソースユニットに対して共通である。
【００１７】
本発明の各様相において、ＲＳＳＩ測定時間リソースユニットの各々は複数の連続するＯＦＤＭシンボルで構成される。
【００１８】
本発明の各様相において、測定ウィンドウを示す情報と測定ウィンドウ内のＲＳＳＩ測定時間リソースユニットを示す情報が基地局によりユーザ機器に提供される。
【００１９】
本発明の各様相において、測定ウィンドウは同期信号及び物理ブロードキャストチャネルで構成された同期信号(ｓｙｎｃｈｒｏｎｉｚａｔｉｏｎ ｓｉｇｎａｌ、ＳＳ)ブロックのリソースを含む。
【００２０】
上記の課題解決方法は、本発明の実施例の一部に過ぎず、本願発明の技術的特徴が反映された様々な実施例が、当該技術の分野における通常の知識を有する者によって、以下に説明する本発明の詳細な説明から導出されて理解されるであろう。
【発明の効果】
【００２１】
本発明によれば、無線通信信号を効率的に送受信することができる。これにより、無線通信システムの全体処理量(ｔｈｒｏｕｇｈｐｕｔ)が向上する。
【００２２】
本発明によれば、使用者器機と基地局の通信過程で発生する遅れ／遅延が減少する。
【００２３】
また新しい無線接続技術を支援するシステムにおいて信号を送受信することができる。
【００２４】
本発明で得られる効果は、以上で言及した効果に制限されず、言及していない他の効果は、以下の発明の詳細な説明から、本発明の属する技術の分野における通常の知識を有する者によって明確に理解されるであろう。
【図面の簡単な説明】
【００２５】
本発明に関する理解を助けるために詳細な説明の一部として含まれる添付の図面は、本発明の実施例を提供し、詳細な説明と共に本発明の技術的思想を説明する。
【００２６】
【図１】新しい無線接続技術(ｎｅｗ ｒａｄｉｏ ａｃｃｅｓｓ ｔｅｃｈｎｏｌｏｇｙ、ＮＲ)において利用可能なサブフーレムの構造を例示する図である。
【図２】送受信器ユニット(ｔｒａｎｓｃｅｉｖｅｒ ｕｎｉｔ、ＴＸＲＵ)及び物理的アンテナ観点でハイブリッドビームフォーミング構造を抽象的に示す図である。
【図３】新しい無線接続技術(ｎｅｗ ｒａｄｉｏ ａｃｃｅｓｓ ｔｅｃｈｎｏｌｏｇｙ、ＮＲ)システムのセルを例示する図である。
【図４】副搬送波間隔による同期信号ブロックを例示する図である。
【図５】ＲＳＳＩ測定サブスロット(グループ)に対してＲＳＳＩ測定リソースを設定する方法を説明する図である。
【図６】本発明を行う送信装置１０及び受信装置２０の構成要素を示すブロック図である。
【発明を実施するための形態】
【００２７】
以下、本発明に係る好適な実施の形態を、添付図面を参照して詳しく説明する。添付図面と共に以下に開示される詳細な説明は、本発明の例示的な実施形態を説明するためのものであり、本発明が実施し得る唯一の実施形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２８】
場合によって、本発明の概念が曖昧になることを避けるために、公知の構造及び装置を省略したり、各構造及び装置の核心機能を中心にしたブロック図の形式で示すことができる。また、この明細書全体を通じて同一の構成要素については同一の図面符号を付して説明する。
【００２９】
以下に説明する技法(ｔｅｃｈｎｉｑｕｅ)及び装置、システムは、様々な無線多重接続システムに適用することができる。多重接続システムの例には、ＣＤＭＡ(ｃｏｄｅ ｄｉｖｉｓｉｏｎ ｍｕｌｔｉｐｌｅ ａｃｃｅｓｓ)システム、ＦＤＭＡ(ｆｒｅｑｕｅｎｃｙ ｄｉｖｉｓｉｏｎ ｍｕｌｔｉｐｌｅ ａｃｃｅｓｓ)システム、ＴＤＭＡ(ｔｉｍｅ ｄｉｖｉｓｉｏｎ ｍｕｌｔｉｐｌｅ ａｃｃｅｓｓ)システム、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)システム、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)システム、ＭＣ−ＦＤＭＡ(ｍｕｌｔｉ ｃａｒｒｉｅｒ ｆｒｅｑｕｅｎｃｙ ｄｉｖｉｓｉｏｎ ｍｕｌｔｉｐｌｅ ａｃｃｅｓｓ)システムなどがある。ＣＤＭＡは、ＵＴＲＡ(Ｕｎｉｖｅｒｓａｌ Ｔｅｒｒｅｓｔｒｉａｌ Ｒａｄｉｏ Ａｃｃｅｓｓ)又はＣＤＭＡ２０００のような無線技術(ｔｅｃｈｎｏｌｏｇｙ)によって具現することができる。ＴＤＭＡは、ＧＳＭ(Ｇｌｏｂａｌ Ｓｙｓｔｅｍ ｆｏｒ Ｍｏｂｉｌｅ ｃｏｍｍｕｎｉｃａｔｉｏｎ)、ＧＰＲＳ(Ｇｅｎｅｒａｌ Ｐａｃｋｅｔ Ｒａｄｉｏ Ｓｅｒｖｉｃｅ)、ＥＤＧＥ(Ｅｎｈａｎｃｅｄ Ｄａｔａ Ｒａｔｅｓ ｆｏｒ ＧＳＭ Ｅｖｏｌｕｔｉｏｎ)(ｉ．ｅ．，ＧＥＲＡＮ)などのような無線技術によって具現することができる。ＯＦＤＭＡは、ＩＥＥＥ(Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ)８０２．１１(Ｗｉ−Ｆｉ)、ＩＥＥＥ８０２．１６(ＷｉＭＡＸ)、ＩＥＥＥ８０２−２０、Ｅ−ＵＴＲＡ(ｅｖｏｌｖｅｄ−ＵＴＲＡ)などのような無線技術によって具現することができる。ＵＴＲＡは、ＵＭＴＳ(Ｕｎｉｖｅｒｓａｌ Ｍｏｂｉｌｅ Ｔｅｌｅｃｏｍｍｕｎｉｃａｔｉｏｎ Ｓｙｓｔｅｍ)の一部であり、３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(Ｌｏｎｇ Ｔｅｒｍ Ｅｖｏｌｕｔｉｏｎ)は、Ｅ−ＵＴＲＡを用いるＥ−ＵＭＴＳの一部である。３ＧＰＰ ＬＴＥは、下りリンク(ｄｏｗｎｌｉｎｋ、ＤＬ)ではＯＦＤＭＡを採択し、上りリンク(ｕｐｌｉｎｋ、ＵＬ)ではＳＣ−ＦＤＭＡを採択している。ＬＴＥ−Ａ(ＬＴＥ−ａｄｖａｎｃｅｄ)は、３ＧＰＰ ＬＴＥの進化した形態である。説明の便宜のために、以下では、本発明が３ＧＰＰ基盤通信システム、例えば、ＬＴＥ／ＬＴＥ−Ａ、ＮＲに適用される場合を仮定して説明する。しかし、本発明の技術的特徴がこれに制限されるものではない。例えば、以下の詳細な説明が、移動通信システムが３ＧＰＰ ＬＴＥ／ＬＴＥ−Ａ／ＮＲシステムに対応する移動通信システムに基づいて説明されても、３ＧＰＰ ＬＴＥ／ＬＴＥ−Ａ／ＮＲ特有の事項以外は、他の任意の移動通信システムにも適用可能である。
【００３０】
例えば、本発明は、３ＧＰＰ ＬＴＥ／ＬＴＥ−Ａシステムのように、ＢＳがＵＥに下りリンク／上りリンク時間／周波数リソースを割り当て、ＵＥがＢＳの割当てによって下りリンク信号を受信し、上りリンク信号を送信する非−競合ベース(ｎｏｎ−ｃｏｎｔｅｎｔｉｏｎ ｂａｓｅｄ)通信だけでなく、Ｗｉ−Ｆｉのような競合ベース(ｃｏｎｔｅｎｔｉｏｎ ｂａｓｅｄ)通信にも適用することができる。非−競合ベース通信技法は、接続ポイント(ａｃｃｅｓｓ ｐｏｉｎｔ、ＡＰ)或いは上記接続ポイントを制御する制御ノード(ｎｏｄｅ)が、ＵＥと上記ＡＰ間の通信のためのリソースを割り当てるが、競合ベース通信技法は、ＡＰに接続しようとする複数ＵＥ間の競合によって通信リソースが占有される。競合ベース通信技法についして簡略に説明すると、競合ベース通信技法の一種として搬送波感知多元接続(ｃａｒｒｉｅｒ ｓｅｎｓｅ ｍｕｌｔｉｐｌｅ ａｃｃｅｓｓ、ＣＳＭＡ)がある。ＣＳＭＡとは、ノード或いは通信器機が周波数帯域(ｂａｎｄ)のような、共有送信媒体(ｓｈａｒｅｄ ｔｒａｎｓｍｉｓｓｉｏｎ ｍｅｄｉｕｍ)(共有チャネルともいう。)上でトラフィック(ｔｒａｆｆｉｃ)を送信する前に、同一の共有送信媒体上に他のトラフィックがないことを確認する確率的(ｐｒｏｂａｂｉｌｉｓｔｉｃ)媒体接続制御(ｍｅｄｉａ ａｃｃｅｓｓ ｃｏｎｔｒｏｌ、ＭＡＣ)プロトコル(ｐｒｏｔｏｃｏｌ)を指す。ＣＳＭＡにおいて送信装置は受信装置にトラフィックを送信することを試みる前に、他の送信が進行中であるか否か決定する。換言すれば、送信装置は、送信を試みる前に、他の送信装置からの搬送波(ｃａｒｒｉｅｒ)の存在を検出(ｄｅｔｅｃｔ)することを試みる。搬送波が感知されると、送信装置は、自身の送信を開始する前に、進行中の他の送信装置によって送信が完了(ｆｉｎｉｓｈ)することを待つ。結局、ＣＳＭＡは、“ｓｅｎｓｅ ｂｅｆｏｒｅ ｔｒａｎｓｍｉｔ”或いは“ｌｉｓｔｅｎ ｂｅｆｏｒｅ ｔａｌｋ”の原理に基づいてした通信技法といえる。ＣＳＭＡを用いる競合ベース通信システムにおいて送信装置間の衝突を回避するための技法としてＣＳＭＡ／ＣＤ(Ｃａｒｒｉｅｒ Ｓｅｎｓｅ Ｍｕｌｔｉｐｌｅ Ａｃｃｅｓｓ ｗｉｔｈ Ｃｏｌｌｉｓｉｏｎ Ｄｅｔｅｃｔｉｏｎ)及び／又はＣＳＭＡ／ＣＡ(Ｃａｒｒｉｅｒ Ｓｅｎｓｅ Ｍｕｌｔｉｐｌｅ Ａｃｃｅｓｓ ｗｉｔｈ Ｃｏｌｌｉｓｉｏｎ Ａｖｏｉｄａｎｃｅ)が用いられる。ＣＳＭＡ／ＣＤは、有線ＬＡＮ環境での衝突検出技法であり、イーサネット(ｅｔｈｅｒｎｅｔ)環境で通信をしようとするＰＣ(Ｐｅｒｓｏｎａｌ Ｃｏｍｐｕｔｅｒ)やサーバー(ｓｅｒｖｅｒ)がまず、ネットワーク上で通信が行われているか確認した後、他の装置(ｄｅｖｉｃｅ)がデータを上記ネットワーク上で載せて送っていると、待ってからデータを送る。すなわち、２人以上のユーザ(例、ＰＣ、ＵＥなど)が同時にデータを乗せて送る場合、上記同時送信間に衝突が発生するが、ＣＳＭＡ／ＣＤは、上記衝突を監視し、柔軟性あるデータ送信がなされるようにする技法である。ＣＳＭＡ／ＣＤを用いる送信装置は、特定規則を用いて他の送信装置によるデータ送信を感知し、自身のデータ送信を調節する。ＣＳＭＡ／ＣＡは、ＩＥＥＥ８０２．１１標準に明示されている媒体接近制御プロトコルである。ＩＥＥＥ８０２．１１標準に従うＷＬＡＮシステムは、ＩＥＥＥ８０２．３標準で用いられたＣＳＭＡ／ＣＤを用いず、ＣＡ、すなわち、衝突を回避する方式を用いている。送信装置は、常にネットワークの搬送波を感知しているが、ネットワークが空になると、目録に登載された自身の位置によって、定められた時間を待ってからデータを送る。目録内で送信装置間の優先順位を決め、これを再設定(ｒｅｃｏｎｆｉｇｕｒａｔｉｏｎ)するためには様々方法を用いることができる。ＩＥＥＥ８０２．１１標準の一部バージョンに従うシステムでは、衝突が起きることがあり、この場合には衝突感知手順が行われる。ＣＳＭＡ／ＣＡを用いる送信装置は、特定規則を用いて、他の送信装置によるデータ送信と自身のデータ送信間の衝突を回避する。
【００３１】
後述する本発明の実施例において、装置が“仮定する”という表現は、チャネルを送信する主体が該当の“仮定”に符合するようにチャネルを送信することを意味する。チャネルを受信する主体は、チャネルが該当“仮定”に符合するように送信されたという前提の下に、該当“仮定”に符合する形態でチャネルを受信或いは復号するものであることを意味する。
【００３２】
本発明において、特定のリソースでチャネルがパンクチャリングされるとは、チャネルのリソースマッピング過程でチャネルの信号が特定のリソースにマッピングされるものの、チャネルの送信時にパンクチャリングされるリソースにマッピングされた信号部分は除外されたまま送信されることを意味する。言い換えれば、パンクチャリングされる特定のリソースは、該当チャネルのリソースマッピング過程で該当チャネルのリソースとしてカウントされるものの、該当チャネルの信号のうち、特定のリソースにマッピングされた信号は実際には送信されない。該当チャネルの受信装置はパンクチャリングされた特定のリソースにマッピングされた信号部分は送信されなかったと仮定し、該当チャネルを受信、復調或いは復号する。反面、特定のリソースでチャネルがレートマッチングされるとは、チャネルのリソースマッピング過程でチャネルが特定のリソースに全くマッピングされないことにより、チャネルの送信に使用されないことを意味する。言い換えれば、レートマッチングされる特定のリソースは、該当チャネルのリソースマッピング過程で該当チャネルのリソースとして全くカウントされない。該当チャネルの受信装置はレートマッチングされた特定のリソースが該当チャネルのマッピング及び送信に全然使用されなかったと仮定して、該当チャネルを受信、復調又は復号する。
【００３３】
本発明において、ＵＥは、固定していても移動性を有してもよく、基地局(ｂａｓｅ ｓｔａｔｉｏｎ、ＢＳ)と通信してユーザデータ及び／又は各種制御情報を送受信する各種器機がこれに属する。ＵＥは、端末(Ｔｅｒｍｉｎａｌ Ｅｑｕｉｐｍｅｎｔ)、ＭＳ(Ｍｏｂｉｌｅ Ｓｔａｔｉｏｎ)、ＭＴ(Ｍｏｂｉｌｅ Ｔｅｒｍｉｎａｌ)、ＵＴ(Ｕｓｅｒ Ｔｅｒｍｉｎａｌ)、ＳＳ(Ｓｕｂｓｃｒｉｂｅ Ｓｔａｔｉｏｎ)、無線器機(ｗｉｒｅｌｅｓｓ ｄｅｖｉｃｅ)、ＰＤＡ(Ｐｅｒｓｏｎａｌ Ｄｉｇｉｔａｌ Ａｓｓｉｓｔａｎｔ)、無線モデム(ｗｉｒｅｌｅｓｓ ｍｏｄｅｍ)、携帯器機(ｈａｎｄｈｅｌｄ ｄｅｖｉｃｅ)などと呼ぶこともできる。また、本発明において、ＢＳは、一般に、ＵＥ及び／又は他のＢＳと通信する固定局(ｆｉｘｅｄ ｓｔａｔｉｏｎ)のことをいい、ＵＥ及び他のＢＳと通信して各種データ及び制御情報を交換する。ＢＳは、ＡＢＳ(Ａｄｖａｎｃｅｄ Ｂａｓｅ Ｓｔａｔｉｏｎ)、ＮＢ(Ｎｏｄｅ−Ｂ)、ｅＮＢ(ｅｖｏｌｖｅｄ−ＮｏｄｅＢ)、ＢＴＳ(Ｂａｓｅ Ｔｒａｎｓｃｅｉｖｅｒ Ｓｙｓｔｅｍ)、接続ポイント(Ａｃｃｅｓｓ Ｐｏｉｎｔ)、ＰＳ(Ｐｒｏｃｅｓｓｉｎｇ Ｓｅｒｖｅｒ)などの他の用語と呼ぶこともできる。特に、ＵＴＲＡＮの基地局はＮｏｄｅ−Ｂに、Ｅ−ＵＴＲＡＮの基地局はｅＮＢに、また新しい無線接続技術ネットワーク(ｎｅｗ ｒａｄｉｏ ａｃｃｅｓｓ ｔｅｃｈｎｏｌｏｇｙ ｎｅｔｗｏｒｋ)の基地局はｇＮＢとも呼ばれる。以下、説明の便宜のために、ＮＢ、ｅＮＢ、ｇＮＢなどをＢＳと呼ぶ。
【００３４】
本発明でいうノード(ｎｏｄｅ)とは、ＵＥと通信して無線信号を送信／受信し得る固定した地点(ｐｏｉｎｔ)のことを指す。様々な形態のＢＳを、その名称に関係なくノードとして用いることができる。例えば、ＢＳ、ＮＢ、ｅＮＢ、ｇＮＢ、ピコセルｅＮＢ(ＰｅＮＢ)、ホームｅＮＢ(ＨｅＮＢ)、リレー、リピータなどをノードとすることができる。また、ノードは、ＢＳでなくてもよい。例えば、無線リモートヘッド(ｒａｄｉｏ ｒｅｍｏｔｅ ｈｅａｄ、ＲＲＨ)、無線リモートユニット(ｒａｄｉｏ ｒｅｍｏｔｅ ｕｎｉｔ、ＲＲＵ)とすることもできる。ＲＲＨ、ＲＲＵなどは、一般に、ＢＳの電力レベル(ｐｏｗｅｒ ｌｅｖｅｌ)よりも低い電力レベルを有する。ＲＲＨ或いはＲＲＵ(以下、ＲＲＨ／ＲＲＵ)は、一般に、光ケーブルなどの専用回線(ｄｅｄｉｃａｔｅｄ ｌｉｎｅ)でＢＳに接続されているため、一般に、無線回線で接続されたＢＳによる協調通信に比べて、ＲＲＨ／ＲＲＵとＢＳによる協調通信を円滑に行うことができる。１つのノードには少なくとも１つのアンテナが設置される。このアンテナは物理アンテナを意味することもでき、アンテナポート、仮想アンテナ、又はアンテナグループを意味することもできる。ノードは、ポイント(ｐｏｉｎｔ)とも呼ばれる。
【００３５】
本発明でいうセル(ｃｅｌｌ)とは、１つ以上のノードが通信サービスを提供する一定の地理的領域を指す。従って、本発明で特定セルと通信するということは、上記特定セルに通信サービスを提供するＢＳ或いはノードと通信するということを意味できる。また、特定セルの下りリンク／上りリンク信号は、上記特定セルに通信サービスを提供するＢＳ或いはノードからの／への下りリンク／上りリンク信号を意味する。ＵＥに上りリンク／下りリンク通信サービスを提供するセルを特にサービングセル(ｓｅｒｖｉｎｇ ｃｅｌｌ)という。また、特定セルのチャネル状態／品質は、上記特定セルに通信サービスを提供するＢＳ或いはノードとＵＥ間に形成されたチャネル或いは通信リンクのチャネル状態／品質を意味する。３ＧＰＰ基盤通信システムにおいて、ＵＥは、特定ノードからの下りリンクチャネル状態を、上記特定ノードのアンテナポートが上記特定ノードに割り当てられたＣＲＳ(Ｃｅｌｌ−ｓｐｅｃｉｆｉｃ Ｒｅｆｅｒｅｎｃｅ Ｓｉｇｎａｌ)リソース上で送信されるＣＲＳ及び／又はＣＳＩ−ＲＳ(Ｃｈａｎｎｅｌ Ｓｔａｔｅ Ｉｎｆｏｒｍａｔｉｏｎ Ｒｅｆｅｒｅｎｃｅ Ｓｉｇｎａｌ)リソース上で送信するＣＳＩ−ＲＳを用いて測定することができる。
【００３６】
一方、３ＧＰＰ基盤通信システムは、無線リソースを管理するためにセルの概念を用いているが、無線リソースと関連付くセルは、地理的領域のセルと区別される。
【００３７】
地理的領域の“セル”は、ノードが搬送波を用いてサービスを提供できるカバレッジ(ｃｏｖｅｒａｇｅ)と理解することができ、無線リソースの“セル”は、上記搬送波によって設定(ｃｏｎｆｉｇｕｒｅ)される周波数範囲である帯域幅(ｂａｎｄｗｉｄｔｈ、ＢＷ)に関連する。ノードが有効な信号を送信できる範囲である下りリンクカバレッジと、ＵＥから有効な信号を受信できる範囲である上りリンクカバレッジは、当該信号を運ぶ搬送波に依存するので、ノードのカバレッジは、上記ノードが用いる無線リソースの“セル”のカバレッジと関連することもある。従って、“セル”という用語は、時にはノードによるサービスのカバレッジを、時には無線リソースを、時には上記無線リソースを用いた信号が有効な強度で到達できる範囲を意味することに用いることができる。
【００３８】
一方、３ＧＰＰ通信標準は無線リソースを管理するためにセルの概念を使う。無線リソースに関連した“セル”とは下りリンクリソース(ＤＬ ｒｅｓｏｕｒｃｅｓ)と上りリンクリソース(ＵＬ ｒｅｓｏｕｒｃｅｓ)の組合せ、つまりＤＬ ＣＣとＵＬ ＣＣの組合せと定義される。セルはＤＬリソース単独、又はＤＬリソースとＵＬリソースの組合せに設定されることができる。搬送波集成が支援される場合、ＤＬリソース(又は、ＤＬ ＣＣ)の搬送波周波数とＵＬリソース(又は、ＵＬ ＣＣ)の搬送波周波数の間のリンケージ(ｌｉｎｋａｇｅ)は、システム情報によって指示されることができる。例えば、システム情報ブロックタイプ２(Ｓｙｓｔｅｍ Ｉｎｆｏｒｍａｔｉｏｎ Ｂｌｏｃｋ Ｔｙｐｅ２、ＳＩＢ２)リンケージ(ｌｉｎｋａｇｅ)によってＤＬリソースとＵＬリソースの組合せが指示されることができる。ここで、搬送波周波数とは、各セル又はＣＣの中心周波数と同じであることができる。以下では、１次周波数(ｐｒｉｍａｒｙ ｆｒｅｑｕｅｎｃｙ)上で動作するセルを１次セル(ｐｒｉｍａｒｙ ｃｅｌｌ、Ｐｃｅｌｌ)又はＰＣＣと言い、２次周波数(Ｓｅｃｏｎｄａｒｙ ｆｒｅｑｕｅｎｃｙ)(又はＳＣＣ)上で動作するセルを２次セル(ｓｅｃｏｎｄａｒｙ ｃｅｌｌ、Ｓｃｅｌｌ)又はＳＣＣと言う。下りリンクでＰｃｅｌｌに対応する搬送波は下りリンク１次ＣＣ(ＤＬ ＰＣＣ)と言い、上りリンクでＰｃｅｌｌに対応する搬送波はＵＬ１次ＣＣ(ＤＬ ＰＣＣ)と言う。ＳｃｅｌｌとはＲＲＣ(Ｒａｄｉｏ Ｒｅｓｏｕｒｃｅ Ｃｏｎｔｒｏｌ)連結開設(ｃｏｎｎｅｃｔｉｏｎ ｅｓｔａｂｌｉｓｈｍｅｎｔ)がなされた後に設定可能であり、追加的な無線リソースを提供するために使われることができるセルを意味する。ＵＥの性能(ｃａｐａｂｉｌｉｔｉｅｓ)によって、ＳｃｅｌｌがＰｃｅｌｌと一緒に、前記ＵＥのためのサービングセルの集団を形成することができる。下りリンクでＳｃｅｌｌに対応する搬送波はＤＬ２次ＣＣ(ＤＬ ＳＣＣ)と言い、上りリンクで前記Ｓｃｅｌｌに対応する搬送波はＵＬ２次ＣＣ(ＵＬＳＣＣ)と言う。ＲＲＣ＿ＣＯＮＮＥＣＴＥＤ状態にあるが、搬送波集成が設定されていないか搬送波集成を支援しないＵＥの場合、Ｐｃｅｌｌにだけ設定されたサービングセルがただ一つ存在する。
【００３９】
３ＧＰＰ基盤通信標準は、上位層から生じる情報を運ぶリソース要素に対応する下りリンク物理チャネルと、物理層によって用いられるが、上位層から生じる情報を搬送しないリソース要素に対応する下りリンク物理信号を定義する。例えば、物理下りリンク共有チャネル(ｐｈｙｓｉｃａｌ ｄｏｗｎｌｉｎｋ ｓｈａｒｅｄ ｃｈａｎｎｅｌ、ＰＤＳＣＨ)、物理ブロードキャストチャネル(ｐｈｙｓｉｃａｌ ｂｒｏａｄｃａｓｔ ｃｈａｎｎｅｌ、ＰＢＣＨ)、物理マルチキャストチャネル(ｐｈｙｓｉｃａｌ ｍｕｌｔｉｃａｓｔ ｃｈａｎｎｅｌ、ＰＭＣＨ)、物理制御フォーマット指示子チャネル(ｐｈｙｓｉｃａｌ ｃｏｎｔｒｏｌ ｆｏｒｍａｔ ｉｎｄｉｃａｔｏｒ ｃｈａｎｎｅｌ、ＰＣＦＩＣＨ)、物理下りリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)及び物理ハイブリッドＡＲＱ指示子チャネル(ｐｈｙｓｉｃａｌ ｈｙｂｒｉｄ ＡＲＱ ｉｎｄｉｃａｔｏｒ ｃｈａｎｎｅｌ、ＰＨＩＣＨ)が下りリンク物理チャネルとして定義されており、参照信号と同期信号が下りリンク物理信号として定義されている。パイロット(ｐｉｌｏｔ)とも呼ばれる参照信号(ｒｅｆｅｒｅｎｃｅ ｓｉｇｎａｌ、ＲＳ)は、ＢＳとＵＥが互いに知っている既に定義された特別な波形の信号を意味するが、例えば、セル特定的ＲＳ(ｃｅｌｌ ｓｐｅｃｉｆｉｃ ＲＳ)、ＵＥ−特定的ＲＳ(ＵＥ−ｓｐｅｃｉｆｉｃ ＲＳ、ＵＥ−ＲＳ)、ポジショニングＲＳ(ｐｏｓｉｔｉｏｎｉｎｇ ＲＳ、ＰＲＳ)及びチャネル状態情報ＲＳ(ｃｈａｎｎｅｌ ｓｔａｔｅ ｉｎｆｏｒｍａｔｉｏｎ ＲＳ、ＣＳＩ−ＲＳ)が下りリンク参照信号として定義される。３ＧＰＰ ＬＴＥ／ＬＴＥ−Ａ標準は、上位層から生じる情報を搬送するリソース要素に対応する上りリンク物理チャネルと、物理層によって用いられるが、上位層から生じる情報を搬送しないリソース要素に対応する上りリンク物理信号を定義している。例えば、物理上りリンク共有チャネル(ｐｈｙｓｉｃａｌ ｕｐｌｉｎｋ ｓｈａｒｅｄ ｃｈａｎｎｅｌ、ＰＵＳＣＨ)、物理上りリンク制御チャネル(ｐｈｙｓｉｃａｌ ｕｐｌｉｎｋ ｃｏｎｔｒｏｌ ｃｈａｎｎｅｌ、ＰＵＣＣＨ)、物理任意接続チャネル(ｐｈｙｓｉｃａｌ ｒａｎｄｏｍ ａｃｃｅｓｓ ｃｈａｎｎｅｌ、ＰＲＡＣＨ)が上りリンク物理チャネルとして定義され、上りリンク制御／データ信号のための復調参照信号(ｄｅｍｏｄｕｌａｔｉｏｎ ｒｅｆｅｒｅｎｃｅ ｓｉｇｎａｌ、ＤＭＲＳ)と上りリンクチャネル測定に用いられるサウンディング参照信号(ｓｏｕｎｄｉｎｇ ｒｅｆｅｒｅｎｃｅ ｓｉｇｎａｌ、ＳＲＳ)が定義される。
【００４０】
本発明で、ＰＤＣＣＨ(Ｐｈｙｓｉｃａｌ Ｄｏｗｎｌｉｎｋ Ｃｏｎｔｒｏｌ ＣＨａｎｎｅｌ)／ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)／ＰＨＩＣＨ((Ｐｈｙｓｉｃａｌ Ｈｙｂｒｉｄ ａｕｔｏｍａｔｉｃ ｒｅｔｒａｎｓｍｉｔ ｒｅｑｕｅｓｔ Ｉｎｄｉｃａｔｏｒ ＣＨａｎｎｅｌ)／ＰＤＳＣＨ(Ｐｈｙｓｉｃａｌ Ｄｏｗｎｌｉｎｋ Ｓｈａｒｅｄ Ｃｈａｎｎｅｌ)はそれぞれ、ＤＣＩ(Ｄｏｗｎｌｉｎｋ Ｃｏｎｔｒｏｌ Ｉｎｆｏｒｍａｔｉｏｎ)／ＣＦＩ(Ｃｏｎｔｒｏｌ Ｆｏｒｍａｔ Ｉｎｄｉｃａｔｏｒ)／下りリンクＡＣＫ／ＮＡＣＫ(ＡＣＫｎｏｗｌｅｇｅｍｅｎｔ／Ｎｅｇａｔｉｖｅ ＡＣＫ)／下りリンクデータを搬送する時間−周波数リソースの集合或いはリソース要素の集合を意味する。また、ＰＵＣＣＨ(Ｐｈｙｓｉｃａｌ Ｕｐｌｉｎｋ Ｃｏｎｔｒｏｌ ＣＨａｎｎｅｌ)／ＰＵＳＣＨ(Ｐｈｙｓｉｃａｌ Ｕｐｌｉｎｋ Ｓｈａｒｅｄ ＣＨａｎｎｅｌ)／ＰＲＡＣＨ(Ｐｈｙｓｉｃａｌ Ｒａｎｄｏｍ Ａｃｃｅｓｓ ＣＨａｎｎｅｌ)はそれぞれ、ＵＣＩ(Ｕｐｌｉｎｋ Ｃｏｎｔｒｏｌ Ｉｎｆｏｒｍａｔｉｏｎ)／上りリンクデータ／任意(ｒａｎｄｏｍ)接続信号を搬送する時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属した時間−周波数リソース或いはリソース要素(ｒｅｓｏｕｒｃｅ ｅｌｅｍｅｎｔ、ＲＥ)をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で／或いはを通じて、上りリンク制御情報／上りリンクデータ／任意(ｒａｎｄｏｍ)接続信号を送信することと同じ意味で使われる。また、ＢＳがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で／或いはを通じて、下りリンクデータ／制御情報を送信することと同じ意味で使われる。
【００４１】
以下では、ＣＲＳ／ＤＭＲＳ／ＣＳＩ−ＲＳ／ＳＲＳ／ＵＥ−ＲＳ／ＴＲＳが割り当てられた或いは設定された(ｃｏｎｆｉｇｕｒｅｄ)ＯＦＤＭシンボル／副搬送波／ＲＥを、ＣＲＳ／ＤＭＲＳ／ＣＳＩ−ＲＳ／ＳＲＳ／ＵＥ−ＲＳ／ＴＲＳシンボル／搬送波／副搬送波／ＲＥと称する。例えば、トラッキングＲＳ(ｔｒａｃｋｉｎｇ  ＲＳ、ＴＲＳ)が割り当てられた或いは設定されたＯＦＤＭシンボルは、ＴＲＳシンボルと称し、ＴＲＳが割り当てられた或いは設定された副搬送波は、ＴＲＳ副搬送波と称し、ＴＲＳが割り当てられた或いは設定されたＲＥはＴＲＳ  ＲＥと称する。また、ＴＲＳ送信のために設定された(ｃｏｎｆｉｇｕｒｅｄ)スロットを、ＴＲＳスロットと称する。また、ブロードキャスト信号が送信されるスロットを、ブロードキャストスロット或いはＰＢＣＨスロットと称し、同期信号(例えば、ＰＳＳ及び／又はＳＳＳ)が送信されるスロットを、同期信号サスロット或いはＰＳＳ／ＳＳＳスロットと称する。ＰＳＳ／ＳＳＳが割り当てられた或いは設定された(ｃｏｎｆｉｇｕｒｅｄ)ＯＦＤＭシンボル／副搬送波／ＲＥをそれぞれ、ＰＳＳ／ＳＳＳシンボル／副搬送波／ＲＥと称する。
【００４２】
本発明で、ＣＲＳポート、ＵＥ−ＲＳポート、ＣＳＩ−ＲＳポート、ＴＲＳポートとは、それぞれ、ＣＲＳを送信するように設定された(ｃｏｎｆｉｇｕｒｅｄ)アンテナポート、ＵＥ−ＲＳを送信するように設定されたアンテナポート、ＣＳＩ−ＲＳを送信するように設定されたアンテナポート、ＴＲＳを送信するように設定されたアンテナポートを意味する。ＣＲＳを送信するように設定されたアンテナポートは、ＣＲＳポートによってＣＲＳが占有するＲＥの位置によって相互に区別でき、ＵＥ−ＲＳを送信するように設定された(ｃｏｎｆｉｇｕｒｅｄ)アンテナポートは、ＵＥ−ＲＳポートによってＵＥ−ＲＳが占有するＲＥの位置によって相互に区別でき、ＣＳＩ−ＲＳを送信するように設定されたアンテナポートは、ＣＳＩ−ＲＳポートによってＣＳＩ−ＲＳが占有するＲＥの位置によって相互に区別できる。したがって、ＣＲＳ／ＵＥ−ＲＳ／ＣＳＩ−ＲＳ／ＴＲＳポートという用語が、一定リソース領域内でＣＲＳ／ＵＥ−ＲＳ／ＣＳＩ−ＲＳ／ＴＲＳが占有するＲＥのパターンを意味する用語として用いられることもある。
【００４３】
本発明で使用される用語及び技術のうち、具体的に説明されていない用語及び技術については、３ＧＰＰ ＬＴＥ/ＬＴＥ−Ａ標準文書、例えば、３ＧＰＰ ＴＳ ３６.２１１、３ＧＰＰ ＴＳ ３６.２１２、３ＧＰＰ ＴＳ ３６.２１３、３ＧＰＰ ＴＳ ３６.３２１及び３ＧＰＰ ＴＳ ３６.３３１などと、３ＧＰＰ ＮＲ 標準文書、例えば、３ＧＰＰ ＴＳ ３８.２１１、３ＧＰＰ ＴＳ ３８.２１２、３ＧＰＰ ＴＳ ３８.２１３、３ＧＰＰ ＴＳ ３８.２１４、３ＧＰＰ ＴＳ ３８.２１５、３ＧＰＰ ＴＳ ３８.３００及び３ＧＰＰ ＴＳ ３８.３３１などを参照できる。
【００４４】
さらに多い通信装置がより大きな通信容量を要求することにより、既存の無線接続技術(ｒａｄｉｏ ａｃｃｅｓｓ ｔｅｃｈｎｏｌｏｇｙ、ＲＡＴ)に比べて向上したモバイルブロードバンド通信の必要性が高まっている。また、多数の器機及びモノを連結していつでもどこでも多様なサービスを提供する大規模機械タイプ通信(ｍａｓｓｉｖｅ Ｍａｃｈｉｎｅ Ｔｙｐｅ Ｃｏｍｍｕｎｉｃａｔｉｏｎｓ、ｍＭＴＣ)が次世代通信の主要争点の１つになっている。さらに信頼性及び遅延(ｌａｔｅｎｃｙ)に敏感なサービス／ＵＥを考慮した通信システムのデザインも考えられている。このように進歩したモバイルブロードバンド通信、ｍＭＴＣ、ＵＲＬＬＣ(Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ)などを考慮した次世代ＲＡＴの導入が論議されている。現在、３ＧＰＰではＥＰＣ以後の次世代移動通信システムに対する研究が進行中である。本発明では便宜上、該当技術を新しいＲＡＴ(ｎｅｗ ＲＡＴ、ＮＲ)或いは５Ｇ ＲＡＴと呼ぶ。
【００４５】
ＮＲ通信システムは、データレート、容量(ｃａｐａｃｉｔｙ)、遅延、エネルギー消費及び費用の面で、既存の４世代(４Ｇ)システムより相当に優れる性能の支援が要求されている。従って、ＮＲシステムは帯域幅、スペクトル、エネルギー、シグナリング効率及びビット当たりの費用の領域において相当な進歩が必要である。
【００４６】
＜ＯＦＤＭニューマロロジー＞
【００４７】
新しいＲＡＴシステムはＯＦＤＭ送信方式又は類似する送信方式を使用する。例えば、新しいＲＡＴシステムは以下の表に定義されたＯＦＤＭパラメータに従う。又は新しいＲＡＴシステムは、既存のＬＴＥ／ＬＴＥ−Ａのニューマロロジーをそのまま従うが、より大きいシステム帯域幅(例えば、１００ＭＨｚ)を有することができる。又は、１つのセルが複数のニューマロロジーを支援することもできる。即ち、互いに異なるニューマロロジーで動作するＵＥが１つのセル内に共存することができる。
【００４８】
＜スロット構造＞
【００４９】
３ＧＰＰ ＬＴＥ／ＬＴＥ−Ａシステムで用いられる無線フレームは、１０ｍｓ(３０７２００Ｔｓ)の長さを有し、１０個の均等なサイズのサブフレーム(ｓｕｂｆｒａｍｅ、ＳＦ)で構成される。１無線フレーム内の１０個のサブフレームにはそれぞれ番号を与えることができる。ここで、Ｔｓはサンプリング時間を示し、Ｔｓ＝１／(２０４８＊１５ｋＨｚ)で表示される。ＬＴＥ用の基本(ｂａｓｉｃ)時間ユニットはＴｓである。各々のサブフレームは１ｍｓの長さを有し、２個のスロットで構成される。１無線フレーム内において２０個のスロットは０から１９まで順にナンバリングされる。各々のスロットは０.５ｍｓの長さを有する。１サブフレームを送信するための時間は、送信時間間隔(ｔｒａｎｓｍｉｓｓｉｏｎ ｔｉｍｅ ｉｎｔｅｒｖａｌ、ＴＴＩ)で定義される。時間リソースは無線フレーム番号(或いは無線フレームインデックスともいう)、サブフレーム番号(或いはサブフレーム番号ともいう)、スロット番号(或いはスロットインデックス)などにより区分される。ＴＴＩとは、データがスケジューリング可能な間隔を意味する。例えば、現在のＬＴＥ／ＬＴＥ−Ａシステムにおいて、ＵＬグラント或いはＤＬグランドの送信機会は１ｍｓごとに存在し、１ｍｓより短い時間内にＵＬ／ＤＬグラント機会が複数存在することではない。従って、既存のＬＴＥ／ＬＴＥ−ＡシステムにおいてＴＴＩは１ｍｓである。
【００５０】
図１は新しい無線接続技術(ｎｅｗ ｒａｄｉｏ ａｃｃｅｓｓ ｔｅｃｈｎｏｌｏｇｙ、ＮＲ)システムにおいて利用可能なスロット構造を例示する図である。
【００５１】
データ送信遅延を最小にするために、５世代の新しいＲＡＴでは制御チャネルとデータチャネルが時間分割多重化(ｔｉｍｅ ｄｉｖｉｓｉｏｎ ｍｕｌｔｉｐｌｅｘｉｎｇ、ＴＤＭ)されるスロットの構造が考えられる。
【００５２】
図１において、斜線領域はＤＣＩを運ぶＤＬ制御チャネル(例えば、ＰＤＣＣＨ)の送信領域を示し、黒色部分はＵＣＩを運ぶＵＬ制御チャネル(例えば、ＰＵＣＣＨ)の送信領域を示す。ここで、ＤＣＩはＢＳがＵＥに伝達する制御情報であり、ＤＣＩはＵＥが分かるべきセル設定(ｃｏｎｆｉｇｕｒａｔｏｉｎ)に関する情報、ＤＬスケジューリングなどのＤＬ特定的情報、またＵＬグラントのようなＵＬ特定的情報などを含む。またＵＣＩはＵＥがＢＳに伝達する制御情報であり、ＵＣＩはＤＬデータに対するＨＡＲＱ ＡＣＫ／ＮＡＣＫ報告、ＤＬチャネル状態に対するＣＳＩ報告、またスケジューリング要請(ｓｃｈｅｄｕｌｉｎｇ ｒｅｑｕｅｓｔ，ＳＲ)などを含む。
【００５３】
図１において、シンボルインデックス１からシンボルインデックス１２までのシンボル領域は、下りリンクデータを運ぶ物理チャネル(例えば、ＰＤＳＣＨ)の送信、又は上りリンクデータを運ぶ物理チャネル(例えば、ＰＤＣＣＨ)の送信に使用される。スロットの構造によると、１つのスロット内においてＤＬ送信とＵＬ送信が順に行われて、ＤＬデータの送信／受信とＤＬデータに対するＵＬ ＡＣＫ／ＮＡＣＫの受信／送信が１つのスロット内で行われる。結果として、データ送信エラーの発生時にデータの再送信までにかかる時間を短縮させることにより、最終データ伝達の遅延を最小化することができる。
【００５４】
このようなスロットの構造では、ＢＳ及びＵＥは送信モードから受信モードへの転換過程又は受信モードから送信モードへの転換過程のための時間ギャップ(ｔｉｍｅ ｇａｐ)が必要である。このような送信モードと受信モードの間の転換過程のために、スロット構造においてＤＬからＵＬに転換される時点の一部ＯＦＤＭシンボルがガード期間(ｇｕａｒｄ ｐｅｒｉｏｄ、ＧＰ)に設定される。
【００５５】
既存のＬＴＥ／ＬＴＥ−Ａシステムにおいては、ＤＬ制御チャネルはデータチャネルとＴＤＭされ、制御チャネルであるＰＤＣＣＨはシステムの全帯域に広がって送信される。しかし、新しいＲＡＴでは、１つのシステムの帯域幅が最小約１００ＭＨｚに達すると予想されるので、制御チャネルを全帯域に拡散して送信することは無理である。ＵＥがデータ送受信のために下りリンク制御チャネル受信のために全帯域をモニタリングすることは、ＵＥのバッテリー消耗増大及び効率性低下を招く。従って、本発明ではＤＬ制御チャネルをシステム帯域、即ちチャネル帯域内の一部の周波数帯域でローカライズ(ｌｏｃａｌｉｚｅ)して送信するか、或いは分散して送信することができる。
【００５６】
ＮＲシステムにおいて、基本送信ユニット(ｂａｓｉｃ ｔｒａｎｓｍｉｓｓｉｏｎ ｕｎｉｔ)はスロットである。スロット区間(ｄｕｒａｔｉｏｎ)は正規(ｎｏｒｍａｌ)循環プレフィックス(ｃｙｃｌｉｃ ｐｒｅｆｉｘ、ＣＰ)を有する１４個のシンボルからなるか、又は拡張ＣＰを有する１２個のシンボルからなる。また、スロットは使用された副搬送波間隔の関数であって、時間でスケーリングされる。即ち、副搬送波間隔が大きくなると、スロットの長さは短くなる。例えば、スロット当たりのシンボル数が１４である場合、１０ｍｓのフレーム内におけるスロット数が１５ｋＨｚの副搬送波間隔について１０個であると、３０ｋＨｚの副搬送波間隔については２０個、６０ｋＨｚの副搬送波間隔については４０個になる。副搬送波間隔が大きくなると、ＯＦＤＭシンボルの長さも短くなる。スロット内におけるＯＦＤＭシンボルの数は、正規ＣＰであるか又は拡張ＣＰであるかによって変化し、副搬送波間隔によっては変化しない。ＬＴＥ用の基本時間ユニットであるＴｓはＬＴＥの基本副搬送波間隔１５ｋＨｚと最大ＦＦＴサイズの２０４８を考慮して、Ｔｓ＝１／(１５０００＊２０４８)秒に定義され、これは１５ｋＨｚの副搬送波間隔に対するサンプリング時間である。ＮＲシステムにおいては、１５ｋＨｚの副搬送波間隔以外に様々な副搬送波間隔を使用でき、副搬送波間隔と該当時間の長さは反比例するので、１５ｋＨｚより大きい副搬送波間隔に対応する実際のサンプリング時間は、Ｔｓ＝１／(１５０００＊２０４８)秒より短くなる。例えば、副搬送波間隔３０ｋＨｚ、６０ｋＨｚ、１２０ｋＨｚに対する実際のサンプリング時間は各々、１／(２＊１５０００＊２０４８)秒、１／(４＊１５０００＊２０４８)秒、１／(８＊１５０００＊２０４８)秒になる。
【００５７】
＜アナログビームフォーミング(ａｎａｌｏｇ ｂｅａｍｆｏｒｍｉｎｇ)＞
【００５８】
最近論議されている５世代移動通信システムは広い周波数帯域を用いて多数のユーザに高い送信率を維持しながらデータを送信するために高い超高周波帯域、即ち、６ＧＨｚ以上のミリメートル周波数帯域を用いる方案を考慮している。３ＧＰＰではこれをＮＲと称しており、以下本発明ではＮＲシステムと称する。しかし、ミリメートル周波数帯域は非常に高い周波数帯域を用いるため、距離による信号減殺が急激であるという周波数特性を有する。従って、少なくとも６ＧＨｚ以上の帯域を使用するＮＲシステムでは、急激な電波減殺特性を補償するために、信号送信を全方向ではなく特定の方向にエネルギーを集めて送信することにより、急激な電波減殺によるカーバリッジ減少の問題を解決する狭ビーム(ｎａｒｒｏｗ ｂｅａｍ)送信技法を使用している。しかし、１つの狭ビームのみでサービスする場合、１つの基地局がサービスを提供する範囲が狭くなるので、基地局は多数の狭ビームを集めて広帯域にサービスを提供する。
【００５９】
ミリメートル周波数帯域、即ち、ミリメートル波長(ｍｉｌｌｉｍｅｔｅｒ ｗａｖｅ、ｍｍＷ)では波長が短くなって、同じ面積に多数のアンテナ要素を設けることが可能になる。例えば、１ｃｍ程度の波長を有する３０ＧＨｚ帯域においては５ｂｙ５ｃｍのパネルに０.５λ(波長)間隔で２次元配列形態で総１００個のアンテナ要素を設けることができる。よって、ｍｍＷでは、多数のアンテナ要素を使用してビームフォーミング利得を高めてカバレッジを増加させるか、或いは処理量(ｔｈｒｏｕｇｈｐｕｔ)を高めることが考えられる。
【００６０】
ミリメートル周波数帯域において狭ビームを形成する方法として、基地局やＵＥから多数のアンテナに適切な位相差を用いて同じ信号を送信することにより、特定の方向でのみエネルギーが高くなるビームフォーミング方式が主に考えられている。このようなビームフォーミング方式には、デジタル基底帯域(ｂａｓｅｂａｎｄ)信号に位相差を形成するデジタルビームフォーミング、変調されたアナログ信号に時間遅延(即ち、循環遷移)を用いて位相差を形成するアナログビームフォーミング、デジタルビームフォーミングとアナログビームフォーミングを全て利用するハイブリッドビームフォーミングなどがある。アンテナ要素ごとに送信パワー及び位相調節ができるようにトランシーバユニット(ｔｒａｎｓｃｅｉｖｅｒ ｕｎｉｔ、ＴＸＲＵ)を有すると、周波数リソースごとに独立したビームフォーミングが可能になる。しかし、１００余個の全てのアンテナ要素にＴＸＲＵを設けることは費用面で実効性が乏しい。即ち、ミリメートル周波数帯域は急激な電波減殺特性を補償するために多数のアンテナを使用する必要があり、デジタルビームフォーミングはアンテナ数ほどのＲＦコンポーネント(例えば、デジタルアナログコンバータ(ＤＡＣ)、ミキサー(ｍｉｘｅｒ)、電力増幅器(ｐｏｗｅｒ ａｍｐｌｉｆｉｅｒ)、線形増幅器(ｌｉｎｅａｒ ａｍｐｌｉｆｉｅｒ)など)を必要とするので、ミリメートル周波数帯域においてデジタルビームフォーミングを具現するためには通信機器の単価が上がる問題がある。従って、ミリメートル周波数帯域のようにアンテナが多く必要な場合には、アナログビームフォーミング又はハイブリッドビームフォーミング方式が考慮される。アナログビームフォーミング方式は、１つのＴＸＲＵに多数のアンテナ要素をマッピングし、アナログ位相遷移器(ａｎａｌｏｇ ｐｈａｓｅ ｓｈｉｆｔｅｒ)でビームの方向を調節する。かかるアナログビームフォーミング方式は全体帯域において１つのビーム方向のみを形成するので、周波数選択的ビームフォーミング(ｂｅａｍｆｏｒｍｉｎｇ、ＢＦ)ができない短所がある。
【００６１】
ハイブリッドＢＦはデジタルＢＦとアナログＢＦの中間形態であって、Ｑ個のアンテナ要素より少ない数であるＢ個のＴＸＲＵを有する方式である。ハイブリッドＢＦの場合、Ｂ個のＴＸＲＵとＱ個のアンテナ要素の連結方式によって差はあるが、同時に送信可能なビームの方向はＢ個以下に制限される。
【００６２】
上述したように、デジタルビームフォーミングは、送信又は受信デジタルの基底帯域信号に対して信号処理を行うので、多重ビームを用いて同時に複数の方向に信号を送信又は受信できる反面、アナログビームフォーミングは、送信又は受信アナログ信号を変調した状態でビームフォーミングを行うので、１つのビームがカバーする範囲を超える複数の方向に信号を同時に送信又は受信することができない。通常、基地局は広帯域送信又は多重アンテナ特性を用いて同時に多数のユーザと通信を行うが、基地局がアナログ又はハイブリッドビームフォーミングを使用し、１つのビーム方向にアナログビームを形成する場合には、アナログビームフォーミングの特性上、同じアナログビーム方向内に含まれるユーザとのみ通信が可能である。後述する本発明によるＲＡＣＨリソース割り当て及び基地局のリソース活用方案は、アナログビームフォーミング又はハイブリッドビームフォーミングの特性により発生する制約事項を反映して提案される。
【００６３】
＜ハイブリッドアナログビームフォーミング(ｈｙｂｒｉｄ ａｎａｌｏｇ ｂｅａｍｆｏｒｍｉｎｇ)＞
【００６４】
図２は送受信器ユニット(ｔｒａｎｓｃｅｉｖｅｒ ｕｎｉｔ、ＴＸＲＵ)及び物理的アンテナの観点でハイブリッドビームフォーミングの構造を抽象的に示す図である。
【００６５】
複数のアンテナが使用される場合、デジタルビームフォーミング及びアナログビームフォーミングを結合したハイブリッドビームフォーミング技法が考えられている。この時、アナログビームフォーミング(又はＲＦビームフォーミング)は、ＲＦユニット(又はトランシーバ)がプリコーディング(又は結合(ｃｏｍｂｉｎｉｎｇ))を行う動作を意味する。ハイブリッドビームフォーミングにおいて、基底帯域(ｂａｓｅｂａｎｄ)ユニットとＲＦユニットは各々プリコーティング(又は結合)を行い、これによりＲＦチェーンの数とＤ／Ａ(又はＡ／Ｄ)コンバータの数を減らしながらデジタルビームフォーミングに近接する性能を得られるという長所がある。説明の便宜上、ハイブリッドビームフォーミングの構造は、Ｎ個のＴＸＲＵとＭ個の物理的アンテナで表すことができる。この時、送信端から送信するＬ個のデータレイヤに対するデジタルビームフォーミングは、Ｌ−ｂｙ−Ｌ行列で表され、その後、変換されたＮ個のデジタル信号はＴＸＲＵを介してアナログ信号に変換され、変換された信号に対してＭ−ｂｙ−Ｎ行列で表されるアナログビームフォーミングが適用される。図２において、デジタルビームの数はＬであり、アナログビームの数はＮである。さらに、ＮＲシステムにおいては、アナログビームフォーミングをシンボル単位で変更できるように基地局を設計して、特定の地域に位置したＵＥに効率的なビームフォーミングを支援する方向が考えられている。また、Ｎ個のＴＸＲＵとＭ個のＲＦアンテナを１つのアンテナパネルと定義した時、ＮＲシステムにおいては、互いに独立したハイブリッドビームフォーミングが適用可能な複数のアンテナパネルを導入する方案も考えられている。以上のように基地局が複数のアナログビームを活用する場合、ＵＥごとに信号の受信に有利なアナログビームが異なるので、少なくとも同期信号、システム情報、ページング(ｐａｇｉｎｇ)などについては、特定のスロット又はサブフレームにおいて基地局が適用する複数のアナログビームをシンボルごとに変化させて全てのＵＥが受信機会を有するようにするビームスイーピング(ｂｅａｍ ｓｗｅｅｐｉｎｇ)動作が考えられている。
【００６６】
＜ＬＴＥにおける無線リソース管理(ｒａｄｉｏ ｒｅｓｏｕｒｃｅ ｍａｎａｇｅｍｅｎｔ、ＲＲＭ)測定＞
【００６７】
ＬＴＥ／ＬＴＥ−Ａシステムでは、電力制御、スケジューリング、セル探索(ｃｅｌｌ ｓｅａｒｃｈ)、セル再選択、ハンドオーバー、無線リンク又は連結モニタリング、連結確立(ｅｓｔａｂｌｉｓｈｍｅｎｔ)／再確立などを含むＲＲＭ動作を支援する。この時、サービングセルはＵＥにＲＲＭ動作を行うための測定値であるＲＲＭ測定情報を要請することができ、代表的にＬＴＥ／ＬＴＥ−Ａシステムでは、ＵＥが各セルに対するセル探索情報、参照信号受信電力(ｒｅｆｅｒｅｎｃｅ ｓｉｇｎａｌ ｒｅｃｅｉｖｅｄ ｐｏｗｅｒ、ＲＳＲＰ)、参照信号受信品質(ｒｅｆｅｒｅｎｃｅ ｓｉｇｎａｌ ｒｅｃｅｉｖｅｄ ｑｕａｌｉｔｙ、ＲＳＲＱ)などを測定して報告することができる。具体的には、ＬＴＥ／ＬＴＥ−Ａシステムにおいて、ＵＥはサービングセルからＲＲＭ測定のための上位階層信号としてｍｅａｓＣｏｎｆｉｇを受信する。ＵＥはｍｅａｓＣｏｎｆｉｇの情報に基づいてＲＳＲＰ又はＲＳＲＱを測定する。ＬＴＥ／ＬＴＥ−Ａシステムの標準文書３ＧＰＰ ＴＳ ３６.２１４によるＲＳＲＰ、ＲＳＲＱ及び受信信号強度指示子(ｒｅｃｅｉｖｅｄ ｓｉｇｎａｌ ｓｔｒｅｎｇｔｈ ｉｎｄｉｃａｔｏｒ、ＲＳＳＩ)の定義は以下の通りである。
【００６８】
＊ＲＳＲＰ
【００６９】
ＲＳＲＰは考慮された(ｃｏｎｓｉｄｅｒｅｄ)測定周波数帯域幅内でセル−特定の(ｃｅｌｌ−ｓｐｅｃｉｆｉｃ)参照信号を運ぶリソース要素の電力寄与度(ｃｏｎｔｒｉｂｕｔｉｏｎ)([Ｗ])に対する線形平均(ｌｉｎｅａｒ ａｖｅｒａｇｅ)と定義される。ＲＳＲＰ決定(ｄｅｔｅｒｍｉｎａｔｉｏｎ)のために３ＧＰＰ ＴＳ ３６.２１１によるセル−特定の参照信号Ｒ０が使用されるべきである。ＵＥがＲ１が利用可能であると信頼できる程度に(ｒｅｌｉａｂｌｙ)検出できる場合、Ｒ０にＲ１を追加してＲＳＲＰを決定できる。ＲＳＲＰの参照ポイントはＵＥのアンテナコネクタである必要がある。受信器ダイバーシティがＵＥにより使用される場合、報告された値は任意の個別ダイバーシティブランチ(ｂｒａｎｃｈ)の該当ＲＳＲＰより低くてはならない。
【００７０】
＊ＲＳＲＱ
【００７１】
ＲＳＲＱは比率(ｒａｔｉｏ)Ｎ＊ＲＳＲＰ／(Ｅ−ＵＴＲＡ搬送波ＲＳＳＩ)と定義され、ここでＮはＥ−ＵＴＲＡ搬送波ＲＳＳＩ測定帯域幅のリソースブロック(ｒｅｓｏｕｒｃｅ ｂｌｏｃｋ、ＲＢ)数である。分子(ｎｕｍｅｒａｔｏｒ)と分母(ｄｅｍｏｎｉｎａｔｏｒ)の測定は、同一のリソースブロックセットに対して行わなければならない。Ｅ−ＵＴＲＡ搬送波ＲＳＳＩは、共同−チャネル(ｃｏ−ｃｈａｎｎｅｌ)サービング及び非−サービングセル、隣接チャネル干渉、熱ノイズ(ｔｈｅｒｍａｌ ｎｏｉｓｅ)などを含む、全てのソースからＵＥによりＮ個のリソースブロックに対して、測定帯域幅内で、アンテナポート０に対する参照シンボルを含むＯＦＤＭシンボルでのみ観測された総受信電力([Ｗ])の線形平均を含む。上位階層シグナリングがＲＳＲＱ測定を行うためのあるサブフレームを指示する場合、ＲＳＳＩは指示されたサブフレーム内の全てのＯＦＤＭシンボルに対して測定される。ＲＳＲＱに対する参照ポイントはＵＥのアンテナコネクタである必要がある。受信器ダイバーシティがＵＥにより使用される場合、報告された値は任意の個別ダイバーシティブランチの該当ＲＳＲＱより低くてはならない。
【００７２】
＊ＲＳＳＩ
【００７３】
受信器パルス整形(ｓｈａｐｉｎｇ)フィルターによって定義された帯域幅内において、受信器で発生した熱ノイズ及びノイズを含む、受信(ｒｅｃｅｉｖｅｄ)広帯域電力。測定のための参照ポイントはＵＥのアンテナコネクタである。受信器ダイバーシティがＵＥにより使用される場合、報告された値は任意の個別受信(ｒｅｃｅｉｖｅ)アンテナブランチの該当ＵＴＲＡ搬送波ＲＳＳＩより低くてはならない。
【００７４】
ＬＴＥシステムにおいてＲＳＳＩは基本的にＣＲＳがあるＯＦＤＭシンボルで測定されるものと設定され、その後、標準が進化することにより、ＲＳＳＩは設定されたサブフレームの全てのＯＦＤＭシンボルで測定されるように設定される。
【００７５】
定義によって、ＬＴＥ／ＬＴＥ−Ａシステムで動作するＵＥは、イントラ−周波数測定の場合、システム情報ブロックタイプ(ｓｙｓｔｅｍ ｉｎｆｏｒｍａｔｉｏｎ ｂｌｏｃｋ ｔｙｐｅ ３、ＳＩＢ３)で送信される許し(ａｌｌｏｗｅｄ)測定帯域幅関連の情報要素(ｉｎｆｏｒｍａｔｉｏｎ ｅｌｅｍｅｎｔ、ＩＥ)に基づいて、そしてインタ−周波数測定の場合は、ＳＩＢ５で送信される許し（許容）測定帯域幅ＩＥに基づいて、６、１５、２５、５０、７５、１００個のＲＢのうちの１つに対応する帯域幅においてＲＳＲＰを測定するように許されるか、或いはＩＥがない場合には、デフォルトで全体ＤＬシステムの周波数帯域においてＲＳＲＰを測定することができる。ＵＥが許し測定帯域幅情報を受信する場合、ＵＥは該当値を最大(ｍａｘｉｍｕｍ)測定帯域幅であると思い、該当値以内で自由にＲＳＲＰの値を測定することができる。但し、サービングセルが広帯域ＲＳＲＱ(ｗｉｄｅ ｂａｎｄ ＲＳＲＱ、ＷＢ−ＲＳＲＱ)と定義されるＩＥを送信し、許し測定帯域幅を５０個のＲＢ以上に設定すると、ＵＥは全体許し測定帯域幅に対するＲＳＲＰ値を計算しなければならない。なお、ＲＳＳＩはＲＳＳＩ帯域幅の定義によってＵＥの受信器が有する周波数帯域で測定される。
【００７６】
＞＞本発明によるＲＲＭ＜＜
【００７７】
本発明は基地局とＵＥを含んで構成された無線通信システムにおいて、１つのセルが１つ以上の送信及び受信(ｔｒａｎｓｍｉｓｓｉｏｎ ａｎｄ ｒｅｃｅｐｔｉｏｎ ｐｏｉｎｔ、ＴＲＰ)で構成され、各ＴＲＰごとにハイブリッドビームフォーミング(又はアナログビームフォーミング)技法によって複数のアナログビーム方向に信号を送信できる時、ＵＥが(セル選択目的の)ＤＬ測定を行う方案を提案する。
【００７８】
最近３ＧＰＰ標準化団体では、５Ｇ無線通信システムである新しいＲＡＴシステム、即ち、ＮＲシステムにおいて単一の物理ネットワーク上に複数の論理ネットワークを具現するネットワークスライシングが考慮されている。論理ネットワークは様々な要求条件を有する様々なサービス(例えば、ｅＭＢＢ、ｍＭＴＣ、ＵＲＬＬＣなど)を支援する必要があり、ＮＲシステムの物理階層システムでは、様々なサービスによる可変的なニューマロロジーを有し得る直交周波数分割多重化(ｏｒｔｈｏｇｏｎａｌ ｆｒｅｑｕｅｎｃｙ ｄｉｖｉｓｉｏｎ ｍｕｌｔｉｐｌｅｘｉｎｇ、ＯＦＤＭ)方式を支援する方案が考慮されている。言い換えれば、ＮＲシステムでは、時間及び周波数リソース領域ごとに互いに独立したニューマロロジーを有するＯＦＤＭ方式(又は多重接続方式)が考慮されている。
【００７９】
また、最近スマート機器の登場によってデータトラフィックが急増することにより、ＮＲシステムではより高い通信容量(例えば、データ収率など)の支援が求められている。通信容量を高める１つの方案として、多数の送信(又は受信)アンテナを活用してデータ送信を行う方法が考えられる。多数のアンテナに対してデジタルビームフォーミングを適用する場合、各アンテナごとにＲＦチェーン(例えば、電力増幅器(ｐｏｗｅｒ ａｍｐｌｉｆｉｅｒ)、ダウンコンバータ(ｄｏｗｎ ｃｏｎｖｅｒｔｅｒ)などのＲＦ素子からなるチェーン)とデジタル−ｔｏ−アナログ(ｄｉｇｉｔａｌ−ｔｏ−Ａｎａｌｏｇ、Ｄ／Ａ)又はアナログ−ｔｏ−デジタル(ａｎａｌｏｇ−ｔｏ−ｄｉｇｉｔａｌ、Ａ／Ｄ)コンバータが必要であるが、かかる構造は、高いハードウェア複雑度と高い電力消耗を引き起こして実用的ではない。従って、ＮＲシステムでは、多数のアンテナが使用される場合、上述したデジタルビームフォーミングとアナログビームフォーミングを混用するハイブリッドビームフォーミング技法が台頭されている。
【００８０】
図３は新しい無線接続技術(ｎｅｗ ｒａｄｉｏ ａｃｃｅｓｓ ｔｅｃｈｎｏｌｏｇｙ、ＮＲ)システムのセルを例示する図である。
【００８１】
図３を参照すると、ＮＲシステムにおいて、既存のＬＴＥなどの無線通信システムに１つの基地局が１つのセルを形成したこととは異なり、複数のＴＲＰが１つのセルを構成する方案が論議されている。複数のＴＲＰが１つのセルを構成すると、ＵＥをサービスするＴＲＰが変わっても中断されずに通信が続行され、ＵＥの移動性管理が容易である。
【００８２】
ＬＴＥ／ＬＴＥ−Ａシステムにおいて、ＰＳＳ／ＳＳＳは全−方位的(ｏｍｎｉ−ｄｉｒｅｃｔｉｏｎ)に送信されることに反して、ｍｍＷａｖｅを適用するＢＳがビーム方向を全−方位的に変化しながらＰＳＳ／ＳＳＳ／ＰＢＣＨなどの信号をビームフォーミングして送信する方法が考えられている。このように、ビーム方向を変化しながら信号を送信／受信することをビームスイーピング(ｂｅａｍ ｓｗｅｅｐｉｎｇ)又はビームスキャニングという。例えば、ＢＳが最大Ｎ個のビーム方向を有すると仮定すると、Ｎ個のビーム方向に対して各々ＰＳＳ／ＳＳＳ／ＰＢＣＨなどの信号を送信する。即ち、ＢＳは自分が有し得る又は支援しようとする方向をスイーピングしながら各々の方向に対してＰＳＳ／ＳＳＳ／ＰＢＣＨなどの同期信号を送信する。又はＢＳがＮ個のビームを形成できる場合、いくつずつのビームを集めて１つのビームグループを構成でき、ビームグループごとにＰＳＳ／ＳＳＳ／ＰＢＣＨを送信／受信することができる。この時、１つのビームグループは１つ以上のビームを含む。同じ方向に送信されるＰＳＳ／ＳＳＳ／ＰＢＣＨなどの信号が１つのＳＳブロックと定義されることができ、１つのセル内に複数のＳＳブロックが存在することができる。複数のＳＳブロックが存在する場合、各ＳＳブロックの区分のために、ＳＳブロックインデックスを使用できる。例えば、１つのシステムにおいて１０つのビーム方向にＰＳＳ／ＳＳＳ／ＰＢＣＨが送信される場合、同方向へのＰＳＳ／ＳＳＳ／ＰＢＣＨが１つのＳＳブロックを構成することができ、該当システムでは１０つのＳＳブロックが存在すると理解できる。本発明において、ビームインデックスはＳＳブロックインデックスと解析できる。
【００８３】
多重ビーム環境においてＲＲＭの目的は、ＵＥをして特定のセル／ビームの信号を測定することにより、該当ＵＥを最もよくサービスできるセル／ビームを選択することにある。遊休モード(ＩＤＬＥモード)でＵＥはまずセルの同期信号を検出してセルに対する時間−周波数同期を獲得し、その後、セルの特定信号を測定する。ＵＥは複数のセルに対する測定を行い、最高品質のセルを選択して該当セルへの進入を試みることができる。又はネットワークが該当ＵＥを特定のセルにハンドオーバーすることができる。５Ｇとも呼ばれるＮＲにおいて、ＰＳＳ／ＳＳＳ／ＰＢＣＨなどがビームフォーミングされて送信されると、１セル内に複数のＳＳブロックが存在でき、これによりＬＴＥとは異なってセル特定のＲＲＭを単純に特定することが難しくなる。
【００８４】
多重ビーム環境におけるＲＳＲＱ及び／又はＲＳＳＩ(以下、ＲＳＲＱ／ＲＳＳＩ)測定を簡略に説明すると、以下の通りである。
【００８５】
１.ネットワーク調整(ｃｏｏｒｄｉｎａｔｉｏｎ)のない環境：ビームごとのＲＳＲＱ／ＲＳＳＩよりはセルごとのＲＳＲＱ／ＲＳＳＩが測定／算出される。
【００８６】
＞セルごとのＲＳＲＱが測定される。
【００８７】
＞ＲＳＳＩ測定リソース(ネットワークがＵＥに設定する)。
【００８８】
＞＞ネットワークはＲＳＲＰ測定に使用されるＲＳが必ず含まれたリソースとしてＲＳＳＩ測定リソースを設定する。
【００８９】
＞＞ＲＳＳＩ測定リソースは全てのビーム方向又は１つ以上のビームをカバーする時間／周波数リソースを含まなければならない。
【００９０】
＞ＲＳＳＩ値の計算
【００９１】
＞＞ＲＳＳＩ測定リソースにいるリソース要素(ｒｅｓｏｕｒｃｅ ｅｌｅｍｅｎｔ、ＲＥ)の数で正規化(ｎｏｒｍａｌｉｚｅ)してＲＳＳＩ値が算出される。
【００９２】
＞＞ＲＳＳＩ測定リソース内のＳＳブロック(又はＣＳＩ−ＲＳ)の副搬送波間隔とＳＳブロック以外のデータの副搬送波間隔が異なる場合
【００９３】
＞＞＞該当リソース内においてＲＳＲＰ測定ＲＳ(例えば、ＳＳブロック又はＣＳＩ−ＲＳ)の副搬送波間隔を仮定してＲＳＳＩが測定される。
【００９４】
＞＞＞ＲＳＳＩ測定に仮定した副搬送波間隔に基づいてＲＥの数が算出される。
【００９５】
＞ＲＳＲＱ計算に使用されるＲＳＲＰ値及びＲＳＲＰ測定に使用されるＲＳ
【００９６】
＞＞ＲＳＳＩ測定リソースに含まれたＲＳに基づくＲＳＲＰを用いてＲＳＲＱを計算する。
【００９７】
＞＞ＲＳＳＩ測定リソースにＳＳブロックが含まれていると、ＳＳブロックＲＳＲＰを用いてＲＳＲＱが計算される(逆に、ＣＳＩ−ＲＳが含まれていると、ＣＳＩ−ＲＳ ＲＳＲＰを用いてＲＳＲＱが計算される)。
【００９８】
＞＞この時に使用されるＲＳＲＰは、ビームごとのＲＳＲＰを用いて計算されたセル単位のＲＳＲＰ。
【００９９】
２.ネットワーク調整がある環境ではビームごとのＲＳＲＱ／ＲＳＳＩが測定及び算出される。
【０１００】
＞ビームごとのＲＳＲＱが算出される。
【０１０１】
＞ビームごとのＲＳＲＱ算出のためにビームごとのＲＳＳＩが測定される。
【０１０２】
＞ＲＳＳＩ測定リソース：ネットワークがシグナリングする。
【０１０３】
＞＞ビームごとのＲＳＲＰ測定に使用したＲＳが含まれたリソースがＲＳＳＩ測定リソースとして設定される。
【０１０４】
＞＞ＵＥには複数のＲＳＳＩ測定リソースが設定されることができる。
【０１０５】
多重ビーム環境ではセルごとにビームフォーミングが各々行われるので、特定のサービングビームに流入する隣接セルの干渉は時間によってランダムであり、一定のパターンを示さない。これにより、ＮＲの多重ビーム環境ではＲＳＲＰはビームごとに測定されるが、ビームごとのＲＳＳＩが測定されることはあまり意味がない。従って、多重ビーム環境ではＵＥはビームごとのＲＳＲＰを測定することにより受信信号の観点での最適のビームを選択し、ノイズ及び干渉を考慮した信号品質を推算するために必要なＲＳＳＩはセルごとに(即ち、セル単位で)測定する。ＲＳＳＩを測定するために、ＵＥは与えられた時間／周波数リソース内で受信される全ての信号強度を測定する。
【０１０６】
ネットワークはＵＥにＲＳＳＩを測定するための時間／周波数領域を指定してシグナリングする。ネットワークは時間上、特定の時点よりは一定の時間ウィンドウをＵＥに指示して該当時間ウィンドウの間にＲＳＳＩを測定する。ネットワークはＲＳＳＩ測定のための帯域幅を広帯域に指定して、セルを代表するＲＳＳＩを測定する。特に、本発明においてネットワークはＲＳＳＩ測定のための時間／周波数リソースが以下の条件を満たすように設定する：
【０１０７】
−該当リソースには必ずＲＳＲＰ測定に使用されるＲＳ(ＳＳブロック及び／又はＣＳＩ−ＲＳ)が含まれる；及び／又は
【０１０８】
−ＲＳＲＰ測定のためのＲＳがビームフォーミングされる場合、ＲＳＳＩ測定のための時間／周波数リソースには、ＲＳＲＰ測定のためのＲＳがスイーピングされる全てのビーム方向に対して該当ＲＳが含まれる。
【０１０９】
図４は副搬送波間隔による同期信号ブロックを例示する図である。図４において、ＬはＳＳブロックの最大個数(即ち、セル上で形成可能なＤＬビーム方向の最大個数)を示す。ＮＲシステムにおいて５ｍｓウィンドウ内のスロット数は１５ｋＨｚの副搬送波間隔の場合には５個、３０ｋＨｚの副搬送波間隔の場合には１０個、６０ｋＨｚの副搬送波間隔の場合には２０個、１２０ｋＨｚの副搬送波間隔の場合には４０個、２４０ｋＨｚの副搬送波間隔の場合には４０個である。各スロットは最大２つのＳＳブロック(即ち、ＳＳＢ)を含むことができる。以下、主に図４の５ｍｓウィンドウを測定ウィンドウと仮定して本発明を説明する。
【０１１０】
ＢＳがランダムにビームを変更しながらビームスイーピングを行う間に、ＵＥがＲＳＳＩを測定すると、ＲＳＳＩはセル干渉特性をよく反映することができる。しかし、ＢＳが制限されたビーム方向にのみ信号を送信する時にのみＵＥがＲＳＳＩを測定すると、即ち、特定のビームに対してのみＲＳＳＩを測定すると、ＲＳＳＩはセルに進行されるローディングを代表できないので、セルを代表するＲＳＳＩ値であるとは言えない。従って、ＵＥは、ＢＳができる限り多いビーム方向に信号を送信している区間を含めてＲＳＳＩを測定することが好ましい。これを考慮した時、ＲＳＳＩを測定するための時間／周波数領域はＢＳが少なくともＳＳブロックを送信する時間／周波数リソースを含むように指定する必要がある。もしサービングセルにＣＳＩ−ＲＳが設定され、ネットワークがＣＳＩ−ＲＳを用いたＲＳＲＰを測定するようにＵＥを設定した場合は、ネットワークが設定するＲＳＳＩ測定領域はＲＲＭ目的のＣＳＩ−ＲＳが含まれた時間／周波数領域を含んで指定される。例えば、図４においてＬ＝８の場合、ＲＳＳＩ測定リソースは８つのＳＳブロックが含まれる時間／周波数リソースである必要がある。ＲＳＳＩ測定領域は連続したリソースで設定されることもできる。しかし、ＲＳＳＩ測定領域は、時間軸で不連続するリソース、例えば、他のスロットに存在する多数のＳＳＢを含む時間リソース領域として設定されることもできる。
【０１１１】
ネットワークが設定した時間／周波数リソースで受信される全ての信号を測定した後、ＵＥは測定した時間／周波数リソース内でリソース要素別のＲＳＳＩを算出するために、設定された時間／周波数リソース内のＲＥ数で正規化(ｎｏｒｍａｌｉｚａｔｉｏｎ)を測定した信号に対して行う必要がある。ＲＳＳＩ測定領域内において、ＳＳブロックの送信に使用される副搬送波間隔とデータチャネルの送信に使用される副搬送波間隔とが異なる場合、これに対する解決策が必要である。例えば、ＵＥがＳＳブロックの副搬送波間隔を仮定してＲＳＳＩ測定を行うように設定又は定義されるか、或いはデータの副搬送波を仮定してＲＳＳＩ測定を行うように設定又は定義される必要がある。ネットワークはＲＳＳＩ測定のためのニューマロロジー、特に、副搬送波間隔も共にシグナリングすることができる。ＵＥがＳＳブロックに対する測定を行う必要があることを勘案すると、ＲＳＳＩを測定すべき時間／周波数リソースではＳＳブロックの副搬送波間隔を仮定してＲＳＳＩを測定するようにＵＥが設定／定義されることが好ましい。ＵＥはＲＳＳＩ値を算出する時、自分がＲＳＳＩ測定に使用した副搬送波間隔を仮定して該当時間／周波数リソース内におけるＲＥ数を計算し、測定した全ての信号に対してＲＥ数で正規化を行う。
【０１１２】
ネットワークはＳＳブロックが含まれているリソースをＲＳＳＩ測定リソースとして設定するか、或いはＣＳＩ−ＲＳが含まれているリソースをＲＳＳＩリソースとして設定するかを選択する。ＲＳＳＩ測定リソースにＳＳブロックが含まれていると、ＵＥはＲＳＲＱを計算する時にＳＳブロック基盤のＲＳＲＰを用いる。一方、ＲＳＳＩ測定リソースにＣＳＩ−ＲＳが含まれていないと、ＵＥはＲＳＲＱを計算する時にＣＳＩ−ＲＳ基盤のＲＳＲＰを用いる。
【０１１３】
即ち、通常的にＲＳＲＱ＝ＲＳＲＰ／ＲＳＳＩのように計算されるが、ネットワーク調整がないか又はほぼない多重ビーム環境では、ＲＳＲＱを計算するためのＲＳＲＰはセル単位のＲＳＲＰを用いて計算される。ＲＳＲＱ計算のために、ＳＳブロック基盤のＲＳＲＰを用いるか、或いはＣＳＩ−ＲＳ基盤のＲＳＲＰを用いるかは、ＲＳＳＩ測定のためのリソースに含まれているＲＳの種類による。また、ビーム単位で測定したＲＳＲＰよりはビーム単位のＲＳＲＰから類推したセル単位のＲＳＲＰを用いてＲＳＲＱを計算することが好ましい。ここで、セル単位のＲＳＲＰcellはビーム単位のＲＳＲＰ[ｉ]の関数により計算できる値である。例えば、ＲＳＲＰcell＝ｆｕｎｃ(ＲＳＲＰ[ｉ]、ｉ∈{０,１,...,Ｎtx})であることができ、ここでｉはビームインデックスであり、ＮtxはＤＬ送信ビームの数を意味する。
【０１１４】
ネットワーク調整を期待できない多重ビーム環境では、自己セル及び隣接セルのビーム方向によって干渉の変動が大きいと予想される。従って、かかる状況における特定のビーム方向に対するＲＳＳＩは、測定対象セルに進行されるローディング／干渉のサイズに対する代表性を有しないので、特の意味を持たない。しかし、ネットワーク調整のある多重ビーム環境においてのＲＳＳＩ、又は単一のビーム環境においてのＲＳＳＩは、セルのローディング／干渉のサイズを代表する値として非常に有用に使用できる。
【０１１５】
ネットワーク調整のある多重ビーム環境では、ビームごとのＲＳＲＱがビームごとのＲＳＳＩを用いて算出／測定されることが好ましい。この場合、ＲＳＳＩはビームごとに、即ち、ＳＳブロックごとに(或いはＣＳＩ−ＲＳごとに)測定されるように設定／定義されることができる。即ち、ＲＳＳＩを測定するための時間／周波数領域がビームごとに異なることができる。例えば、ＵＥには複数の互いに異なる時間／周波数リソースがＲＳＳＩ測定のためにネットワークから設定される。同様に、ビームごとのＲＳＳＩを測定するための時間／周波数リソースについてネットワークが必要によって設定することができるが、この場合、ビームごとのＲＳＳＩ測定用の時間／周波数リソースは、ビームごとのＲＳＲＰ測定のためのＲＳを含むリソースでなければならない。例えば、ネットワーク(或いはＢＳ)がＳＳブロックを用いたＲＳＲＰ測定をＵＥに命令する場合、ＲＳＳＩ測定のためのリソースはＳＳブロックを含み、ネットワーク(或いはＢＳ)がＣＳＩ−ＲＳを用いたＲＳＲＰ測定をＵＥに命令する場合は、ＲＳＳＩ測定のためのリソースはＣＳＩ−ＲＳを含む必要がある。ビームごとのＲＳＳＩ測定のためのリソースであるので、特定のＳＳブロックインデックスに対するＲＳＳＩ測定のためのリソースは、該当ＳＳブロックを含むリソースでなければならない。この場合、ＲＳＲＱはビームごとに算出され、ＲＳＲＱ[i]＝ＲＳＲＰ[i]／ＲＳＳＩ[i]、i∈{０,１,...,Ｎtx}であり、ここでｉはビームインデックスであり、ＮtxはＤＬ送信ビーム数を意味する。
【０１１６】
ＵＥがＲＳＳＩを測定するリソースについては、例えば、以下の方式を使用できる。
【０１１７】
＊方式１)ＳＳブロックＲＳＳＩ(即ち、ＳＳブロック基盤のＲＳＳＩ)は、ＳＳブロックＲＳＲＰが測定されたＳＳブロック内の全ての受信信号のサイズに基づいて決められる。ＲＳＳＩ測定のための時間／周波数リソースは、ＳＳブロックごとにＳＳブロックＲＳＲＰが測定されたＳＳブロックを含むように定義される。即ち、ＳＳブロックごとにＳＳブロックＲＳＲＰが測定されるが、各ＳＳブロックＲＳＲＰが測定されたＳＳブロック内で受信される全ての受信信号サイズの和をＳＳブロックＲＳＳＩとして定義する。広帯域の場合、広帯域内で１つ以上の帯域幅パートが定義され、帯域幅パートごとにＳＳブロックが送信されることができる。ＳＳブロックＲＳＲＰは、特定の帯域幅パートのＲＳＲＰのみを測定して得られるが、ＳＳブロックのＲＳＳＩ測定のためには、互いに異なる周波数位置にいる同一のビーム方向に送信されるＳＳブロックで受信される全ての信号値が使用されるようにＳＳブロックＲＳＳＩが定義されることができる。勿論、ＲＳＲＱの計算時には周波数のサイズによる正規化が行われる。
【０１１８】
＊方式２)ＬＴＥ／ＬＴＥ−ＡシステムではＲＳＳＩ測定帯域とＲＳＲＰ測定帯域が同一である。本発明はＳＳブロックと同一のビームパターン(即ち、同一のＤＬＴｘビーム)で送信される、ＳＳブロックより広帯域に送信される信号送信領域においてＲＳＳＩを測定することを提案する。システムローディング及び隣接セルの間の干渉によって、周波数帯域ごとにＲＳＳＩの測定が異なる。かかる変動(ｖａｒｉａｔｉｏｎ)にもかかわらず、ＳＳブロックごとのＲＳＳＩの代表値、即ち、ビーム方向ごとにＲＳＳＩの代表値を算出するためには、ＲＳＳＩを測定するための周波数リソースが広帯域に分散されることが好ましい。従って、本発明はＳＳブロック内で測定された信号強度よりは、それより広帯域で送信される信号を用いてＲＳＳＩを測定する方式を提案する。ＳＳブロックより広帯域に送信される信号帯域におけるＲＳＳＩ測定のための参照信号及び位置としては以下の信号があり得る。
【０１１９】
＞ＳＳブロック帯域より広い帯域に送信されるシステム情報、例えば、残りの最小システム情報(ｒｅｍａｉｎｉｎｇ ｍｉｎｉｍｕｍ ｓｙｓｔｅｍ ｉｎｆｏｒｍａｔｉｏｎ、ＲＭＳＩ)、ページングチャネル／メッセージなどが送信される帯域でＲＳＳＩが測定される。即ち、ＳＳブロックごとのＲＭＳＩが送信される時間／周波数区間の間に該当ブロック(即ち、ＲＭＳＩを運ぶチャネルが存在する時間／周波数領域)で受信された全ての信号の強度をＳＳブロックごとのＲＳＳＩと定義する。この時、ＲＭＳＩはＳＳブロックと同一のビームパターンで送信されると仮定できる。
【０１２０】
＞ネットワークが設定した一定の帯域においてシステム情報が送信される時点にＲＳＳＩが測定される。システム情報に関する制御情報が送信される制御領域(以下、制御リソースセット(Ｃｏｎｔｒｏｌ Ｒｅｓｏｕｒｃｅ ＳＥＴ、ＣＯＲＥＳＥＴ))、及び／又はシステム情報が送信されるデータシンボル区間においてネットワークが設定した一定の帯域でＲＳＳＩが測定される。即ち、ＣＯＲＥＳＥＴ区間及び／又はデータシンボル区間内の一定の周波数帯域上でＲＳＳＩが測定され、一定の周波数帯域はネットワークにより設定される。
【０１２１】
ネットワークが設定したＲＳＳＩ用の測定リソースに対してビーム共通のＲＳＳＩが測定される方式が上述されている。以下では、ネットワークがＲＳＳＩ測定リソースを設定する基準及び方法について説明する。
【０１２２】
セクション１)ＲＳＳＩ測定のための測定ウィンドウ
【０１２３】
多重ビーム環境では一般的にＵＥも多重の受信ビームを用いて動作する。この場合、ＵＥは多数の受信ビームを用いて各々ＲＳＲＰを測定し、そのうち、最上の値を有するＲＳＲＰ値をターゲットセルのターゲットビームに該当するＲＳＲＰとして決定する。このようにＵＥは受信ビーム方向を変更しながらＲＳＲＰ測定を行うので、ＲＳＲＰを測定する測定ウィンドウの間にＵＥはサービングセルとの最適の受信ビームを形成できず、サービングセルとの通信品質が非常に悪化する。従って、ＢＳがＲＳＲＰ測定ウィンドウ区間に対して予め測定ギャップ(ｍｅａｓｕｒｅｍｅｎｔ ｇａｐ、ＭＧ)を設定し、ＵＥはこのように決められた区間でのみＲＳＲＰを測定する。一般的に測定ウィンドウは測定のための時間区間を意味し、測定ウィンドウについて測定ギャップが設定されると、測定ギャップ区間ではＢＳとＵＥの間に通信が行われない。
【０１２４】
ＲＳＳＩも受信ビームの方向によって受信信号の電力サイズが大きく異なるので、ＵＥはＲＳＲＰ測定と同様に受信ビーム方向を転換しながらＲＳＳＩを測定する。従って、ＲＳＲＰ測定に関する説明で言及したように、ＲＳＳＩ測定のためにもＭＧが形成されることが好ましい。特に、ＵＥが特定の時間区間でＲＳＳＩ測定を行うと、ＲＳＲＰ測定のためのＭＧとは別途のＲＳＳＩ測定用ＭＧを設定することが好ましい。しかし、上述したように、ＲＳＲＱ測定のために測定されるＲＳＳＩのための時間／周波数リソース、即ち、ＲＳＳＩ測定リソースは、ＲＳＲＰを測定するためのＲＳを含む時間区間で設定することが基本原則であるので、ＲＳＲＱのためのＲＳＳＩ測定リソースは基本的にＲＳＲＰ測定のための測定ウィンドウを共通に使用する。従って、基本的にＲＳＳＩ測定は、ＲＳＲＰ測定のための測定ウィンドウ内に限定され、ＲＳＲＰ測定ウィンドウ区間内でどのリソースをＲＳＳＩ測定リソースとして使用するかを詳しく設定することができる。一般的にＳＳ／ＰＢＣＨブロック(即ち、ＳＳブロック)とＣＳＩ−ＲＳがＲＳＲＰを測定するためのＲＳとして使用されるが、ＲＳＲＰ測定のために他のＲＳが定義されることもできる。以下、ＲＳＲＰ測定のためのＲＳとしてのＭ−ＲＳについて説明する。
【０１２５】
しかし、ネットワークがＲＳＲＱ測定ではない他の目的で受信ビームごとのＲＳＳＩの測定を望む場合、例えば、常に送信される信号に基づくセルローディングではなく、実質的にデータ送信によるセルローディングの測定を望む場合には、ネットワークはＵＥにＲＳＳＩ測定用の測定ウィンドウを別に設定し、別に設定されたＲＳＳＩ測定ウィンドウ区間内でどのリソースがＲＳＳＩ測定リソースとして使用されるかを設定することができる。
【０１２６】
上述したように、ＲＳＳＩ測定のためのリソースは、設定された測定ウィンドウ内に限定され、特にＲＳＲＱ測定のためのＲＳＳＩ測定は、特に指示がないと、ＲＳＲＰ測定ウィンドウ内に限定される。以下、測定ウィンドウ内においてどのリソースを測定リソースとして使用するかを設定する方法について説明する。ここでは、基本的にＮＲシステムを基準としてＳＳ／ＰＢＣＨブロックをＭ−ＲＳとして使用し、ＳＳ／ＰＢＣＨブロックを含む測定ウィンドウを一例として測定ウィンドウ内のリソースのうち、測定リソースとして使用されるリソースを設定する方法について説明する。しかし、測定ウィンドウ内の測定リソースを設定する以下の方法は、ＳＳ／ＰＢＣＨブロックのように該当送信時間リソースが標準文書に定義されるＭ−ＲＳだけではなく、ＣＳＩ−ＲＳのようにネットワーク／ＢＳの設定によって時間リソースが変化する、即ち、動的リソース設定を有するＭ−ＲＳタイプに対しても適用できる。例えば、ＢＳが動作リソース設定を有するＭ−ＲＳタイプのＭ−ＲＳを一定の測定ウィンドウ内に設定／割り当て、ＵＥがこの区間に対して測定ウィンドウを形成して動作すると、以下の方法がＳＳ／ＰＢＣＨブロックがＭ−ＲＳとして使用される場合に同様に適用できる。
【０１２７】
ＮＲシステムでは、図４のように、５ｍｓの区間の間に最大６４個のＳＳ／ＰＢＣＨブロック(ＳＳＢ)が送信できるように定義される。図４に示したように、ＳＳ／ＰＢＣＨブロックは全体５ｍｓの測定ウィンドウ内の一部を占め、残りの区間に対してはＤＬトラフィック又は制御チャネル、或いはＵＬトラフィック又は制御チャネルが送信される。実際のネットワークでは、図４に例示したことより少ない数のＳＳ／ＰＢＣＨブロックが送信される場合も多いので、測定ウィンドウ内ではＳＳ／ＰＢＣＨブロックが送信される区間と送信されない区間が非常に様々な形態で存在することができる。かかる環境において、ＲＳＳＩ測定のためにどのリソースを使用することが実際のターゲット周波数帯域又はターゲットセルのチャネル品質をよく示すかについての様々な考慮が必要である。この点を考慮すると、ＯＦＤＭシンボル単位で測定リソースを設定することがリソース設定の面で最も大きい柔軟性(ｆｌｅｘｉｂｉｌｉｔｙ)を提供する。但し、ＯＦＤＭシンボル単位で測定リソースを設定することは、非常に大きいシグナリングオーバーヘッドを引き起こすことができる。従って、本発明では、ＯＦＤＭシンボルセットで定義されるスロット或いはサブスロット単位で測定リソースを定義し、スロット或いはサブスロット内でどのＯＦＤＭシンボルを測定シンボルとして使用するかを設定する方式を提案する。ここで、サブスロットはＯＦＤＭシンボルセットを言い、ＯＦＤＭシンボルセットのサイズ(即ち、ＯＦＤＭシンボルセットを構成するＯＦＤＭシンボルの数)は、Ｍ−ＲＳタイプによって異なるように設定されるか、又はＵＥにより直接設定されることができる。サブスロットの長さによってサブスロットとスロットは同一であることもできる。即ち、１４個のＯＦＤＭシンボルがサブスロットとして定義される場合、サブスロットは直ちにスロットを意味することができる。
【０１２８】
セクション２)ＲＳＳＩ測定のための測定ウィンドウ内のスロット或いはサブスロットレベル設定
【０１２９】
多重ビーム環境において、ＢＳは様々なビーム方向に動的スケジューリングを行う。かかる環境において、ＵＥに受信される信号のサイズは大きく変化する特性がある。従って、ＵＥがＲＳＲＱのように長い周期特性(ｌｏｎｇ ｔｅｒｍ ｃｈａｒａｃｔｅｒｉｓｔｉｃ)を反映したチャネル品質を測定するためには、ＵＥが全てのビームからの信号のサイズを測定することが好ましい。この時、ＲＳＲＰ／ＲＳＳＩ測定のために測定ウィンドウが設定される場合は、測定ウィンドウ内では全てのセルがビームスイーピングの形態でＭ−ＲＳを送信し、全てのセルのＭ−ＲＳが測定ウィンドウ内で送信される必要があるということは、基本的にセルの間の時間同期が合わなければならないということであるので、特にＯＦＤＭシンボルグループレベルでは同期式(ｓｙｎｃｈｒｏｎｏｕｓ)動作を仮定することができる。従って、Ｍ−ＲＳが送信される区間について測定スロット或いは測定サブスロットが設定されることが好ましい。しかし、この方式には、ＲＳＳＩが実際のターゲットセルに行われるトラフィックロードを反映できないという問題がある。この問題を避け、ＲＳＳＩがトラフィックロードを反映するようにするためには、ＳＳ／ＰＢＣＨブロックが送信されない区間でＲＳＳＩを測定することにより、トラフィックロードを反映することが好ましい。しかし、これらの方式は各々長短所があるので、ネットワークが設けられた環境によって特性を反映して設定する。即ち、ネットワークが一般的にトラフィックロードが高い場合は、最大のトラフィックロードを反映したチャネル品質測定のためにＭ−ＲＳ送信区間でＲＳＳＩを設定する。反面、一般的にトラフィックロードが低い場合には、実際トラフィックロードを反映するために、ネットワーク／ＢＳはＭ−ＲＳが送信されない領域をＲＳＳＩ測定領域として設定し、ＵＥが長周期フィルタリングすることができる(例えば、長い時間の間に平均を取ることができる)。様々な通信環境を反映しながらシグナリングオーバーヘッドを減らす方法として、以下のようなシグナリングサブスロットレベルのシグナリング方法が考えられる。
【０１３０】
方法２−１)１ビット又は２ビット指示
【０１３１】
上述したように、Ｍ−ＲＳが送信されるサブスロットでＲＳＳＩを測定するか、又はそれ以外のサブスロットでＲＳＳＩを測定するかは１ビットで指示されることができる。この場合、サブスロットの単位は予め設定されているが、又はシグナリングにより設定される。例えば、Ｍ−ＲＳとしてＳＳ／ＰＢＣＨブロックが使用され、ＳＳ／ＰＢＣＨブロックが７つのＯＦＤＭシンボル単位で割り当てられる場合、７つのＯＦＤＭシンボルが１つのサブスロットとして定義されることができる。かかる状態で、ネットワーク／ＢＳがターゲットセルに対してＳＳ／ＰＢＣＨブロックが含まれたサブスロットをＲＳＳＩリソースとして使用することを指示すると、ＵＥは他のシステム情報(ｏｔｈｅｒ ｓｙｓｔｅｍ ｉｎｆｏｒｍａｔｉｏｎ、ＯＳＩ)(例えば、システム情報ブロック(ｓｙｓｔｅｍ ｉｎｆｏｒｍａｔｉｏｎ ｂｌｏｃｋ、ＳＩＢ)のうち、ＳＩＢ１を除いたシステム情報)或いはＲＲＣシグナリングにより送信されるＲＳＲＰ測定リソース情報(実際の送信ＳＳ／ＰＢＣＨブロック(ａｃｔｕａｌ ｔｒａｎｓｍｉｔｔｅｄ ＳＳ／ＰＢＣＨ ｂｌｏｃｋ)とも呼ばれる)を用いて、どのサブスロットがＲＳＳＩ測定のために使用されるかを決定し、該当サブスロット内のリソースを用いてＲＳＳＩを測定する。なお、逆にネットワーク／ＢＳがＳＳ／ＰＢＣＨブロックが送信されない区間をＲＳＳＩリソースとして使用することを指示すると、ＵＥはＲＳＲＰ測定リソース(即ち、実際の送信ＳＳ／ＰＢＣＨブロックがあるスロット或いはサブスロット)を除いたサブスロット内のリソースを用いてＲＳＳＩを測定する。また、さらなる指示状態として、全てのサブスロットをＲＳＳＩ測定に使用する状態が定義されることもできる。この場合、１ビット或いは２ビットで測定スロット或いはサブスロットに対する情報が伝達されることができる。しかし、方法２−１では、Ｍ−ＲＳが送信されないサブスロット或いは全てのサブスロットでＲＳＳＩを測定するように設定された場合、測定ウィンドウ内に上りリンクスロットが存在しても上りリンクスロットを排除できる方法がなく、またネットワーク制御下で特定のサブスロットを測定するように制御することができない問題がある。従ってＲＳＳＩ測定リソースの設定のためにより柔軟な方法が必要である。以下では、ＲＳＳＩ測定リソースを設定するより柔軟な方法についてさらに提示する。
【０１３２】
方法２−２)Ｎ個のサブスロット持続期間(ｄｕｒａｔｉｏｎ)及びオフセット
【０１３３】
一般的にＳＳ／ＰＢＣＨブロックのようなＭ−ＲＳは、様々なスロット位置で送信できるように柔軟に割り当てられるが、ＵＥのＲＳＲＰ測定による効率性やＢＳの電力節約のために、全体送信可能区間(例えば、ＮＲのＳＳ／ＰＢＣＨの場合、５ｍｓのハーフフレーム)の前部分に集めて送信されるように設定できる。そうではない場合にも、セルは一般的にＳＳ／ＰＢＣＨブロックを最大個数までは使用しないので、測定ウィンドウ上でＳＳ／ＰＢＣＨブロックは一部の区間でのみ確認される。このようにＭ−ＲＳが一般的に全体測定ウィンドウ内における一部の時間リソースに集中して送信される場合、ＲＳＳＩ測定のためのリソースが特定区間の形態で割り当てられることができる。例えば、測定ウィンドウの開示点又はターゲットセルのＭ−ＲＳ最初送信時点から一定時間のオフセットとオフセットによる時点からの測定区間が測定リソースとして指示されることができる。このような方式において、ネットワーク／ＢＳは(サブスロットレベルの)測定持続期間とＵＥが測定を始まる開始サブスロット位置を指示するオフセット値をシグナリングできる。例えば、サブスロットの単位を７つのＯＦＤＭシンボルで設定し、５ｍｓが８０個のサブスロットで構成される場合(例えば、ＮＲシステムにおいて１２０ｋＨｚの副搬送波間隔でＳＳ／ＰＢＣＨブロックが送信される場合)、持続期間とオフセットのための基本単位が１つのサブスロットであれば、持続期間及びオフセット指示のために１２つのビットが必要であり、持続期間とオフセットのための基本単位が４つのサブスロットであれば、持続期間及びオフセット指示のために８つのビットが必要である。
【０１３４】
方法２−３)スロット或いはサブスロットグループのビットマップ
【０１３５】
上述した方法２−２は一定の区間を指示するので、Ｍ−ＲＳが測定ウィンドウ内で分散(ｄｉｓｔｒｉｂｕｔｅｄ)タイプで送信される場合、ＲＳＳＩをＭ−ＲＳ領域のみで測定可能にするためには、シグナリングオーバーヘッドが大きくなるか又は全体測定ウィンドウをＲＳＳＩ測定リソースとして設定するしかないので非常に非効率的である。ＲＳＳＩ測定リソースを完全に柔軟に割り当てる方法は、スロット又はサブスロット単位でフル(ｆｕｌｌ)ビットマップを使用することである。しかし、サブスロット全体に対するフルビットマップは大きなオーバーヘッドを引き起こす。例えば、サブスロットの単位が７個のＯＦＤＭシンボルであり、５ｍｓが８０個のサブスロットで構成される場合、ネットワーク／ＢＳは約８０個のビットで構成されるビットマップを送信しなければならない。ＲＳＳＩ測定リソースを設定するために、８０個のビットのビットマップをシグナリングすることは非常に大きなオーバーヘッドであるので、測定ウィンドウ内のＲＳＳＩ測定リソースをサブスロット単位ではなく、サブスロットグループ単位で構成し、サブスロットグループ単位でビットマップを送信する方法が可能である。この方法では、サブスロットグループのサイズによってＲＳＳＩ測定リソースの設定のためのビットマップに必要なビット数が変わり、例えば、約８個のサブスロットを１つのサブスロットグループで構成すると、ネットワーク／ＢＳは約１０個のビットでＲＳＳＩ測定リソースの設定情報をＵＥに伝達することができる。
【０１３６】
方法２−４)サブスロットグループのビットマップ及びサブスロットグループ内のサブスロットのビットマップ
【０１３７】
上述した方法２−２及び方法２−３は、一般的にネットワークがＭ−ＲＳを割り当て／設定する時、Ｍ−ＲＳリソースをある程度集めて、即ち、時間ドメインで連続して割り当て／設定する場合には効率的に使用できる。しかし、このようにＭ−ＲＳリソースが連続した時間リソースで割り当て／設定される場合には、長い区間の間にＵＲＬＬＣのように緊急を要するトラフィックに対するスケジューリングが行われることができないという問題がある。従って、Ｍ−ＲＳが測定ウィンドウ内で分散(ｄｉｓｔｒｉｂｕｔｅｄ)割り当てられる場合、方法２−２はシグナリングオーバーヘッドが大きくなるか、又は常に全体測定ウィンドウをＲＳＳＩ設定するしかないという点で、方法２−３のフルビットマップはＲＳＳＩ測定リソースを設定するために非常に多いビットが使用されるという点で非効率的である。Ｍ−ＲＳが分散割り当ての特性を有する場合、方法２−３で提示したサブスロットグループに対するビットマップ指示と共に、全ての指示されたサブスロットグループ内のどのサブスロットをＲＳＳＩ測定リソースとして使用できるかに関する情報(即ち、指示されたサブスロットグループに対して共通に適用されるＲＳＳＩ測定リソース位置情報)が、ネットワーク／ＢＳによりＵＥにさらに提供される方法を使用できる。例えば、方法２−３で例示した場合(即ち、５ｍｓが８０個のサブスロットで構成され、各サブスロットグループが８個のサブスロットで構成される場合)について、サブスロットグループのビットマップ１０ビット＋サブスロットグループ内のサブスロットビットマップ８ビットで構成される総１８ビットのビットマップがＲＳＳＩ測定リソースの設定のために送信されることができる。
【０１３８】
セクション３)ＲＳＳＩ測定のための測定サブスロット或いはサブスロットグループ内のＯＦＤＭシンボルレベルの設定
【０１３９】
図５はＲＳＳＩ測定サブスロット(グループ)に対してＲＳＳＩ測定リソースを設定する方法を例示する図である。
【０１４０】
セクション２では、サブスロット(即ち、ＯＦＤＭシンボルグループ)レベルで測定リソースを設定する方法について説明している。さらにＮＲシステムのように時間分割デュプレックス(ｔｉｍｅ ｄｉｖｉｓｉｏｎ ｄｕｐｌｅｘ、ＴＤＤ)を支援するシステムでは、１つのスロット内でも下りリンクトラフィック又は上りリンクトラフィックなどが混じって送信されることができる。即ち、様々なスロットフォーマットが存在することができ、例えば、ＤＬシンボルのみで構成されるＤＬ単独(ＤＬ ｏｎｌｙ)、ＤＬ制御信号用のシンボルとＵＬトラフィック用のシンボルとで構成されるＤＬ制御−ＵＬトラフィック、ＤＬ制御信号用のシンボル、ＵＬトラフィック用のシンボル及びＵＬ制御信号用のシンボルで構成されたＤＬ制御−ＤＬトラフィック−ＵＬ制御、ＵＬシンボルのみで構成されたＵＬ単独などのスロットフォーマットがある。参考として、ＮＲにおいてスロットは１４個のＯＦＤＭシンボルで構成され、サブスロットの定義によって多数のサブスロットで構成されることができる。１つのスロット内に下りリンク及び上りリンクトラフィック／制御信号が送信される場合、ＲＳＳＩ測定にはどのリソースを使用することが適合するかが決定される必要がある。一般的にＲＳＲＱは、ＵＥが移動するセルを決定するために、ターゲットセルから信号のサイズだけではなく、信号の品質を反映するために使用される。従って、ＲＳＲＱのためのＲＳＳＩは一般的に下りリンク信号のみを使用して測定することが好ましい。しかし、動的ＴＤＤのようにセルごとにＴＤＤのＵＬ／ＤＬ設定(例えば、スロットがＵＬであるかＤＬであるかを示す設定、或いはスロット内の各々のＯＦＤＭシンボルがＵＬであるかＤＬであるかを示す設定)が変更される場合、ターゲットセルの品質は、下りリンクトラフィックのみによって決定されない。かかる場合には、上りリンク信号についてもＲＳＳＩ測定が必要であることができる。この点を考慮して、ネットワーク／ＢＳは基本的には上りリンク信号を除いてＲＳＳＩを測定するように指示し、スロットレベルではセクション２で提示した方法で上りリンクトラフィックが送信されるスロットを排除してＲＳＳＩを測定するように指示し、さらに上りリンク制御信号が送信される可能性がシンボルを排除してＲＳＳＩを測定するように指示することもできる。特に指示がないと、上りリンク制御領域はＲＳＳＩ測定リソースから排除するように定義することもできる。しかし、上りリンク信号をＲＳＳＩ測定リソースとして使用する必要がある場合には、ネットワーク／ＢＳは１次にサブスロットレベルで上りリンクスロットを含ませ、さらにサブスロット内の全てのＯＦＤＭシンボルを使用するように指示することができる。
【０１４１】
このようにサービングセルと隣接セルが異なるＵＬ／ＤＬ設定を使用して１つのスロット或いはシンボル内にＵＬリソースとＤＬリソースが混在する場合、ＢＳはＵＥに測定ターゲットセルのスロットに対するＵＬ／ＤＬ設定に関する情報を知らせ、ＲＳＳＩ測定ウィンドウ内のシンボルのうち、どのシンボルを使用するかを知らせる必要がある。しかし、ＵＥの立場では、ターゲットセルが使用するＵＬ／ＤＬ設定が何であるかは重要ではなく、どのシンボルをＲＳＳＩ測定に使用するかに関する情報のみが必要である。従って、ＢＳは、１)ＤＬ／ＵＬを区分しないか、又はＲＳＳＩ測定スロットがＤＬ単独で構成されてＲＳＳＩ測定スロットの全てのシンボルをＲＳＳＩ測定リソースとして含むリソースフォーマットと、２)ＤＬで設定されたシンボルのみをＵＥがＲＳＳＩ測定に使用するために全ての可能なＵＬ／ＤＬ設定に基づいて(即ち、ＤＬ／ＵＬ設定が変化する状況で)、ＤＬで設定されたシンボルのみをＲＳＳＩ測定リソースとして含むリソースフォーマットを定義し、これらのうち、どのフォーマットを使用するかをＵＥに知らせればよい。図５を例として説明すると、以下の通りである。図５において、"ＧＡＰ"はＤＬからＵＬへの転換のためのシンボルであり、"ＤＬ"はＤＬシンボル、"ＳＳＢ"はＳＳ／ＰＢＣＨブロックの送信のためのシンボル、"ＵＬ"はＵＬシンボル、"ＤＬ／ＵＬ"はＤＬとＵＬが混在できるシンボルを示す。図５(ａ)は、ＳＳ／ＰＢＣＨブロックがＭ−ＲＳとして使用される状態で測定ウィンドウ内にＳＳ／ＰＢＣＨブロックが送信されると仮定／指示されるスロットにおいて、ＯＦＤＭシンボルに対するＵＬ／ＤＬ設定及び副搬送波間隔によって可能なスロット内のＵＬ／ＤＬ送信フォーマットを示す。図５(ａ)においてＣはＤＬ単独スロットを、ＢはＳＳ／ＰＢＣＨブロック(ＳＳＢ)とデータが同一の副搬送波間隔を有する状態でＤＬ制御−ＤＬトラフィック−ＵＬトラフィックが送信される場合を、ＡはＳＳＢとデータが異なる副搬送波間隔を有する状態でＤＬ制御−ＤＬトラフィック−ＵＬトラフィックが送信される場合を示す。ＳＳＢを基準としてシンボルインデックスが付与されたが、データチャネルの副搬送波間隔がＳＳＢの副搬送波間隔より大きい場合には、ＳＳＢ基準で１つのシンボル内に多数のデータチャネルシンボルがマッピングされることができるので、図５(ａ)のＡにおいて"ＤＬ／ＵＬ"と表示されるシンボルのようにＳＳＢの副搬送波間隔に基づく１つのシンボル内にＤＬチャネルとＵＬチャネルが混在することもできる。
【０１４２】
スロットごとに可能なＤＬ／ＵＬ構造を考慮する場合、例えば、図５(ａ)に例示した場合を全て含む測定リソースフォーマットは、図５(ｂ)と類似する構造で示すことができる。図５(ｂ)において、ＵＥはスロットのＯＦＤＭシンボルに対するＵＬ／ＤＬ設定に関する情報なしに、スロット内で斜線で示したＯＦＤＭシンボルに対してＲＳＳＩを測定すればよい。図５(ｂ)のような測定リソースフォーマットのうちの１つを指定するためには、２ビットの情報が必要である。図５はＳＳ／ＰＢＣＨブロックがＭ−ＲＳとして使用される場合に関する一例であり、他のＲＳタイプを使用するか又は多様なスロットフォーマットを考慮すれば、図５(ｂ)とは異なるか又は図５(ｂ)を含む様々な形態でスロット内の測定リソースフォーマットを構成することができる。即ち、ＲＳタイプ及びスロットフォーマットを反映してスロット内の測定リソースフォーマットが予め定義され、基地局は上記定義された測定リソースフォーマットのうちのいずれかのフォーマットを使用するかをＵＥに指定することができる。即ち、スロット内のＲＳＳＩ測定用ＯＦＤＭシンボルパターンが予め定義され、ネットワーク／ＢＳが上記予め定義されたＯＦＤＭシンボルパターンのうちのいずれのＯＦＤＭシンボルパターンがＲＳＳＩ測定のために指示されたスロットに対して適用されるかをＵＥに知らせることができる。この時、スロット内のどのシンボルに対してＲＳＳＩを測定するかはスロットによって異なるが、スロットによって互いに異なるＲＳＳＩ測定ＯＦＤＭシンボルを知らせることは大きいシグナリングオーバーヘッドを引き起こすので、本発明では(ＲＳＳＩ測定のために指示された)全てのスロットに対して共通的に１つの測定リソースフォーマットが適用される方式を使用する。またサブスロットの長さがスロットの長さより小さいか又は大きい場合には、スロットに対する測定リソースフォーマットが指定されたことであるので、スロットレベルで定義された上りリンク制御信号の存在をサブスロットレベルで再解釈する作業が必要である。即ち、１次的にサブスロットレベルでどのサブスロットをＲＳＳＩ測定のために使用すると設定した状態で、２次的にシンボルレベルの設定のためのスロット長さがサブスロットレベルで使用されたサブスロット長さと合わない場合、これに対する再解釈が必要である。例えば、サブスロットが７個のシンボルで構成され、スロットが１４個のシンボルで構成された場合、測定ウィンドウ内のサブスロットに１：１に対応するビットで構成されたビットマップによりサブスロットレベルでＲＳＳＩ測定リソースが設定され、ＲＳＳＩ測定リソースのためのシンボルレベルの設定が１４つのシンボル単位、即ち、スロット単位で行われる場合は、２つのサブスロットを集めて１４つのシンボル単位、即ち、スロット単位でシンボルレベルの設定が適用される。
【０１４３】
図６は、本発明を実行する送信装置１０及び受信装置２０の構成要素を示すブロック図である。
【０１４４】
送信装置１０及び受信装置２０は、情報及び／又はデータ、信号、メッセージなどを搬送する無線信号を送受信できるＲＦユニット１３，２３と、無線通信システム内における通信に関連した各種情報を記憶するメモリ１２，２２と、上記ＲＦユニット１３，２３及びメモリ１２，２２などの構成要素と動作的に連結され、これらの構成要素を制御して該当装置が前述した本発明の実施例の少なくとも１つを行うようにメモリ１２，２２及び／又はＲＦユニット１３，２３を制御するように構成されたプロセッサ１１，２１とをそれぞれ備える。
【０１４５】
メモリ１２，２２は、プロセッサ１１，２１の処理及び制御のためのプログラムを格納することができ、入／出力される情報を臨時記憶する。メモリ１２，２２をバッファーとして活用することができる。
【０１４６】
プロセッサ１１，２１は、通常、送信装置又は受信装置内の各種モジュールの全般的な動作を制御する。特に、プロセッサ１１，２１は、本発明を実行するための各種の制御機能を実行することができる。プロセッサ１１，２１は、コントローラ(ｃｏｎｔｒｏｌｌｅｒ)、マイクロコントローラ(ｍｉｃｒｏｃｏｎｔｒｏｌｌｅｒ)、マイクロプロセッサ(ｍｉｃｒｏｐｒｏｃｅｓｓｏｒ)、マイクロコンピュータ(ｍｉｃｒｏｃｏｍｐｕｔｅｒ)などとも呼ばれる。プロセッサ１１，２１は、ハードウェア(ｈａｒｄｗａｒｅ)、ファームウェア(ｆｉｒｍｗａｒｅ)、ソフトウェア、又はそれらの結合によって具現することができる。ハードウェアを用いて本発明を具現する場合、本発明を実行するように構成されたＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)などをプロセッサ１１,２１に具備することができる。一方、ファームウェアやソフトウェアを用いて本発明を具現する場合には、本発明の機能又は動作を実行するモジュール、手順又は関数などを含むようにファームウェアやソフトウェアを構成することができ、本発明を実行するように構成されたファームウェア又はソフトウェアは、プロセッサ１１，２１内に設けられてもよく、メモリ１２，２２に記憶されてプロセッサ１１，２１によって駆動されてもよい。
【０１４７】
送信装置１０のプロセッサ１１は、プロセッサ１１又はプロセッサ１１と接続されたスケジューラからスケジュールされて外部に送信される信号及び／又はデータに対して所定のコーディング(ｃｏｄｉｎｇ)及び変調(ｍｏｄｕｌａｔｉｏｎ)を行った後にＲＦユニット１３に送信する。例えば、プロセッサ１１は、送信しようとするデータ列を逆多重化及びチャネルコーディング、スクランブリング、変調過程などを経てＫ個のレイヤに変換する。コーディングされたデータ列はコードワードとも呼ばれ、ＭＡＣ階層が提供するデータブロックである送信ブロックと等価である。１送信ブロック(ｔｒａｎｓｐｏｒｔ ｂｌｏｃｋ，ＴＢ)は１コードワードに符号化され、各々のコードワードは１つ以上のレイヤ形態で受信装置に送信される。周波数アップコンバートのためにＲＦユニット１３はオシレーター(ｏｓｃｉｌｌａｔｏｒ)を備えることができる。ＲＦユニット１３は、Ｎｔ個(Ｎｔは１以上の正の整数)の送信アンテナを有することができる。
【０１４８】
受信装置２０の信号処理過程は、送信装置１０の信号処理過程の逆に構成される。プロセッサ２１の制御下で受信装置２０のＲＦユニット２３は送信装置１０によって送信された無線信号を受信する。ＲＦユニット２３はＮｒ個の受信アンテナを有することができ、ＲＦユニット２３は受信アンテナで受信した信号のそれぞれを周波数ダウンコンバート(ｆｒｅｑｕｅｎｃｙ ｄｏｗｎ−ｃｏｎｖｅｒｔ)して基底帯域信号に復元する。ＲＦユニット２３は周波数ダウンコンバートのためにオシレーターを備えることができる。プロセッサ２１は受信アンテナで受信した無線信号に対する復号(ｄｅｃｏｄｉｎｇ)及び復調(ｄｅｍｏｄｕｌａｔｉｏｎ)を行い、送信装置１０が本来送信しようとするデータを復元することができる。
【０１４９】
ＲＦユニット１３，２３は１つ以上のアンテナを具備する。アンテナはプロセッサ１１，２１の制御下で本発明の一実施例によってＲＦユニット１３，２３によって処理された信号を外部に送信したり、外部から無線信号を受信してＲＦユニット１３，２３に伝達する機能を果たす。アンテナはアンテナポートとも呼ばれる。各アンテナは１つの物理アンテナに該当してもよく、１つよりも多い物理アンテナ要素(ｅｌｅｍｅｎｔ)の組合せによって構成されてもよい。各アンテナから送信された信号は受信装置２０でそれ以上分解することができない。該当アンテナに対応して送信された参照信号(ｒｅｆｅｒｅｎｃｅ ｓｉｇｎａｌ、ＲＳ)は受信装置２０の観点で見たアンテナを定義し、チャネルが１つの物理アンテナからの単一(ｓｉｎｇｌｅ)無線チャネルであるか、或いは上記アンテナを含む複数の物理アンテナ要素(ｅｌｅｍｅｎｔ)からの合成(ｃｏｍｐｏｓｉｔｅ)チャネルであるかに関係なく、受信装置２０にとってアンテナに対するチャネル推定を可能にする。即ち、アンテナは、該アンテナ上のシンボルを伝達するチャネルが上記同一アンテナ上の他のシンボルが伝達される上記チャネルから導出されうるように定義される。複数のアンテナを用いてデータを送受信する多重入出力(Ｍｕｌｔｉ−Ｉｎｐｕｔ Ｍｕｌｔｉ−Ｏｕｔｐｕｔ、ＭＩＭＯ)機能を支援するトランシーバの場合、２個以上のアンテナと接続することができる。本発明において、ＲＦユニットはトランシーバとも呼ばれる。
【０１５０】
本発明において、ＲＦユニット１３，２３は受信ビームフォーミングと送信ビームフォーミングを支援できる。例えば、本発明において、ＲＦユニット１３，２３は図２に示した機能を行うように構成される。
【０１５１】
本発明の実施例において、ＵＥは、上りリンクでは送信装置１０として動作し、下りリンクでは受信装置２０として動作する。本発明の実施例において、ＢＳは、上りリンクでは受信装置２０として動作し、下りリンクでは送信装置１０として動作する。以下、ＵＥに具備されたプロセッサ、ＲＦユニット及びメモリをＵＥプロセッサ、ＵＥ ＲＦユニット及びＵＥメモリとそれぞれ称し、ＢＳに具備されたプロセッサ、ＲＦユニット及びメモリをＢＳプロセッサ、ＢＳ ＲＦユニット及びＢＳメモリとそれぞれ称する。
【０１５２】
ＢＳプロセッサはＲＳＲＰ又はＲＳＲＱを報告するように設定するＲＲＭ測定設定情報をＵＥに送信するようにＢＳ ＲＦユニットを制御する。ＢＳプロセッサは本発明によってＲＲＭ測定設定情報をＵＥに送信するようにＢＳ ＲＦユニットを制御する。ＵＥプロセッサはＲＲＭ測定設定情報を受信するようにＵＥ ＲＦユニットを制御し、ＲＲＭ測定設定情報に基づいて本発明によってＲＲＭ測定を行うことができる。
【０１５３】
例えば、本発明のＢＳプロセッサは、ＲＳＳＩ測定リソースに関する設定情報を含むＲＲＭ測定設定情報を送信するようにＢＳ ＲＦユニットを制御する。ＲＳＳＩ測定リソースに関する設定情報は、ＲＳＳＩ測定ウィンドウ(又はＲＳＲＰ測定ウィンドウ)に関する設定情報、ＲＳＳＩ／ＲＳＲＰ測定ウィンドウ内でＵＥがＲＳＳＩを測定できる時間リソースユニット(例えば、スロット、サブスロットなど)を示すＲＳＳＩ測定時間リソースユニット設定情報、及び／又はＵＥがＲＳＳＩを測定できると指示された時間リソースユニット内でＲＳＳＩが測定されるＯＦＤＭシンボルを示すＲＳＳＩ測定シンボル情報を含む。ＲＳＳＩ測定シンボル情報は、指示されたＲＳＳＩ時間リソースユニットに対して共通に適用される。スロット内のＲＳＳＩ測定に使用可能なＯＦＤＭシンボルの位置を示すフォーマットが予め定義されており、ＲＳＳＩ測定シンボル情報は予め定義されたフォーマットのうちの１つを指示する情報である。ＵＥ ＲＦユニットはＢＳからＲＳＳＩ測定リソースに関する設定情報を受信し、ＵＥプロセッサはＲＳＳＩ測定リソースに関する設定情報に基づいてＲＳＳＩ測定ＯＦＤＭシンボルでＲＳＳＩを測定することができる。
【０１５４】
ＢＳプロセッサはＲＳＲＰ測定リソースに関する設定情報を送信するようにＢＳ ＲＦユニットを制御する。ＵＥ ＲＦユニットはＲＳＲＰ測定リソースに関する設定情報を受信し、ＵＥプロセッサはＲＳＲＰ測定リソースに関する設定情報に基づいてＲＳＲＰを測定する。
【０１５５】
ＵＥプロセッサはＲＳＲＰとＲＳＳＩに基づいてＲＳＲＱを計算できる。ＵＥプロセッサはＲＳＲＰ及び／又はＲＳＲＱを含むＲＲＭ報告を送信するようにＵＥ ＲＦユニットを制御する。
【０１５６】
ＢＳプロセッサはＲＳＲＰ及び／又はＲＳＲＱを含むＲＲＭ報告を受信するようにＢＳ ＲＦユニットを制御する。
【０１５７】
以上の本発明の好適な実施形態についての詳細な説明は、当業者が本発明を具現して実施できるように提供された。以上では本発明の好適な実施形態に挙げて本発明を説明したが、該当技術分野における熟練した当業者には、添付の特許請求の範囲に記載された本発明の思想及び領域を逸脱しない範囲内で、本発明を様々に修正及び変更できるということは明らかである。したがって、本発明は、具体的な実施形態に制限されるものではなく、ここに開示された原理及び新規の特徴と一致する最も広い範囲を有するものである。
【産業上の利用可能性】
【０１５８】
本発明の実施例は、無線通信システムにおいて、基地局、ユーザ器機又はその他の装備に用いることができる。
【図１】
0006817462.tif 000002
【図２】
0006817462.tif 000003
【図３】
0006817462.tif 000004
【図４】
0006817462.tif 000005
【図５】
0006817462.tif 000006
【図６】
0006817462.tif 000007